【手続補正書】
【提出日】平成16年4月22日(2004.4.22)
【手続補正１】
【補正対象書類名】特許請求の範囲
【補正対象項目名】全文
【補正方法】変更
【補正の内容】
【特許請求の範囲】
【請求項１】
木材繊維を基材としたコアを持つ本体を含むフロアパネルであって、少なくとも二つの平行な両接合縁部分（８６、８７）には、このフロアパネルを同様のフロアパネルに水平方向（Ｄ２）で機械的に接合するための連結手段（６、８、１２）が設けられており、前記連結手段（６、８、１２）は作用係止面（１４、１８）を有し、これらの作用係止面は、フロアパネルの接合後、隣接したフロアパネルの対応する作用係止面（１４、１８）と協働する、フロアパネルにおいて、
前記作用係止面（１４、１８）のうちの少なくとも一方の全体又は一部が、前記フロアパネルの前記本体の材料以外の弾性変形可能な材料（５１、５２）で形成されている、ことを特徴とするフロアパネル。
【請求項２】
請求項１に記載のフロアパネルにおいて、
木製の表面層（３１）及び木製又はファイバボード材料製のコア（３０）を更に含み、前記表面層（３１）の繊維の方向が前記コア（３０）の繊維の方向と本質的に異なり、前記連結手段（６、８、１２、１４、１８）は、フロアパネルの接合後、隣接したフロアパネルの対応する作用係止面（１４、１８）と協働するための作用係止面（１４、１８）を有し、前記作用係止面（１４、１８）は、全体又は一部が本質的に弾性変形可能な材料（５１、５２）で形成されている、ことを特徴とするフロアパネル。
【請求項３】
請求項１又は２に記載のフロアパネルにおいて、
前記連結手段（６、８、１２）は、フロアパネルを、以前に設置したフロアパネルに、内方に傾けることによって及び／又は係止位置にスナップ嵌めすることによって接合するために形成されている、ことを特徴とするフロアパネル。
【請求項４】
請求項３に記載のフロアパネルにおいて、
前記連結手段（６−１０、１２）は、前記コア（３０）と一体成形された、前記機械式連結手段に含まれる下リップ即ち係止ストリップ（６）を含む、ことを特徴とするフロアパネル。
【請求項５】
請求項１乃至４のうちのいずれか一項に記載のフロアパネルにおいて、フロアパネルは四辺形であり、前記連結手段（６−１０、１２、１４、１８）が四つの側部全てに沿って設けられている、ことを特徴とするフロアパネル。
【請求項６】
フロアパネル（１、１’）の二つの隣接した縁部間に接合部を形成するためのシステムであって、前記フロアパネルはコア（３０）及びこのコアの上側（３３）に適用された表面層（３１）を含み、前記表面層（３１）は少なくとも一つの層を含み、前記フロアパネルは、これらのフロアパネルを垂直方向（Ｄ１）で互いに接合するための連結手段（９、１０）をそれらの隣接した接合縁部分（８６、８７）のところに有し、隣接した上接合縁部（６）は垂直方向接合平面（ＶＰ）にある、システムにおいて、両接合縁部分（８６、８７）のうちの少なくとも一方には、前記フロアパネルを互いに接合するとき、水分が隣接したフロアパネル（１、１’）間の垂直方向接合平面（ＶＰ）に沿って侵入しないようにするための接合シール（５５、５５ａ、５５ｂ）が設けられており、この接合シールは、前記フロアパネル（１、１’）の少なくとも一方に固定された弾性シール材料（５１）で形成されており、フロアパネルの接合縁部（８２、８３）の形成と関連して形成され、隣接したフロアパネルが互いに接合されるときに圧縮されるようになっている、ことを特徴とするシステム。
【請求項７】
請求項６に記載のシステムにおいて、前記接合シール（５５、５５ａ、５５ｂ）は前記連結手段（９、１０、６、８、１２）の部分及び／又は前記連結手段の上方及び／又は下方に配置されたフロアパネル部分により形成されており、かつ前記フロアパネルに固定された弾性シール材料（５０、５０ａ、５０ｂ）で形成され、前記連結手段の形成と同時に機械加工することによって形成され、隣接したフロアパネル（１、１’）が互いに接合されるときに圧縮される、ことを特徴とするシステム。
【請求項８】
コア（３０）及びこのコアの上側（３３）に適用された表面層（３１）を含むフロアパネルであって、前記表面層（３１）は少なくとも一つの層を含み、前記フロアパネルの両接合縁部分（８６、８７）には、フロアパネルを同様のフロアパネルに垂直方向（Ｄ１）で接合するための連結手段（９、１０）が設けられ、接合されたフロアパネル（１、１’）の上接合縁部（１６）は、垂直方向接合平面（ＶＰ）にある、フロアパネルにおいて、接合されたフロアパネルの向き合った接合縁部分（８６、８７）のうちの少なくとも一方に、隣接したフロアパネル（１、１’）間の前記垂直方向接合平面（ＶＰ）に沿って水分が浸透しないようにするための接合シール（５５、５５ａ、５５ｂ）が設けられており、この接合シールは、前記フロアパネルに固定されており且つ前記フロアパネルの前記連結手段（９、１０）の形成と関連して形成される弾性シール材料（５０、５０ａ、５０ｂ）でできており、前記フロアパネルを同様のフロアパネルに接合したときに弾性変形するようになっている、ことを特徴とするフロアパネル。
【請求項９】
請求項８に記載のフロアパネルにおいて、前記接合シール（５５、５５ａ、５５ｂ）は、前記連結手段（６−１０、１２、１４、１８）の部分及び／又は前記連結手段（６−１０、１２、１４、１８）の上方に配置された前記フロアパネルの部分でできており、弾性シール材料（５０、５０ａ、５０ｂ）で形成されており、これは前記フロアパネルに固定され、前記連結手段（６−１０、１２、１４、１８）の形成と関連した機械加工によって形成され、隣接したフロアパネル（１、１’）を互いに接合するときに圧縮される、ことを特徴とするフロアパネル。
【請求項１０】
請求項８又は９のうちのいずれか一項に記載のフロアパネルにおいて、前記コアは、ファイバボード材料製のコアである、ことを特徴とするフロアパネル。
【請求項１１】
請求項８、９、又は１０に記載のフロアパネルにおいて、前記連結手段（６−１０、１２、１４、１８）は、隣接したフロアパネル（１、１’）を、垂直方向接合平面（ＶＰ）のところでこれに対して垂直に且つ前記フロアパネルの前側に対して垂直に機械的に接合する、ことを特徴とするフロアパネル。
【請求項１２】
請求項８乃至１１のうちのいずれか一項に記載のフロアパネルにおいて、フロアパネルは四辺形であり、その両接合縁部分全てに沿って接合シール手段（６−１０、１２、１４、１８）を有する、ことを特徴とするフロアパネル。
【請求項１３】
フロアボード、少なくとも二つのフロアボードに分割されるようになったフロアエレメントを製造するための、コア（３０）の形成方法であって、
コアをシート状材料から形成し、これからフロアボードを垂直方向で係止するための係止システムの一部を形成する工程を含む形成方法において、
前記シート状材料に溝（４１）を形成する工程、及び
弾性シール材料（５０、５０ａ、５０ｂ）を前記溝に挿入する工程を含む、ことを特徴とする方法。
【請求項１４】
請求項１３に記載の方法において、前記シート状材料は木材繊維を基材とした材料である、ことを特徴とする方法。
【請求項１５】
長側部（４ａ、４ｂ）、短側部（５ａ、５ｂ）、コア（３０）、及びこのコアの表面（３３）上に配置された表面層（３１）を含み、前記表面層（３１）は磨耗層（３４）及び装飾層（３５）を含む矩形フロアパネルであって、前記フロアパネル（１）には、このフロアパネル（１）を同様のフロアパネル（１’）に垂直方向（Ｄ１）及び水平方向（Ｄ２）において前記長側部及び前記短側部に沿って接合するための係止システム（６、８、９、１０、１２）が両接合縁部分（８６、８７）と隣接して設けられており、前記係止システムは前記コア（３０）から少なくとも部分的に形成されている、フロアパネルにおいて、
水分が前記フロアパネルの前記接合縁部から前記コア（３０）に侵入しないようにするための材料シール（２０）を構成する部分を更に含み、前記材料シール（２０）は、
表面層（３１）と、
前記フロアパネル（１）に固定され、かつ係止システムと関連して形成され、また前記フロアパネル（１）を同様のフロアパネル（１’）に接合したとき、水分が隣接したフロアパネル（１、１’）間の接合縁部（８２、８３）の接合面に沿って浸透しないようにする弾性変形可能な接合シール（５５）との間に配置されている、ことを特徴とするフロアパネル。
【請求項１６】
請求項１５に記載のフロアパネルにおいて、前記長側部に設けられた前記接合シールは、前記短側部に設けられた前記接合シールと接触している、ことを特徴とするフロアパネル。
【請求項１７】
請求項１６に記載のフロアパネルにおいて、前記長側部に設けられた前記接合シールは、継手なしで、前記短側部に設けられた前記接合シールと連続的に接触している、ことを特徴とするフロアパネル。
【請求項１８】
少なくとも二つのフロアボード（２）の形成で使用するための、木材繊維を基材としたコア（３０）及びこのコアの表面（３３）に取り付けられた表面層（３１、３２）を含むフロアエレメント（３）において、前記コアの前記表面（３３）及び／又は前記表面層（３１、３２）に溝（４１）が形成され、この溝は、機械式係止システム（６、８、９、１０、１２）が形成されるべき前記フロアエレメント（３）の部分に配置されており、前記溝（４１）には弾性変形可能な材料（５０、５０ａ、５０ｂ、５１）及び／又は含浸剤が設けられている、フロアエレメント。
【請求項１９】
フロアパネルの二つの隣接した縁部間に継手を形成するための方法であって、フロアパネルは、コア、このコアの上側に適用された、少なくとも一つの層を含む表面層、及びフロアパネルを少なくとも垂直方向で互いに接合するため、隣接した接合縁部分のところに設けられた係止システムを含み、その隣接した上接合縁部は垂直方向接合平面にある、方法において、
弾性シール材料を前記フロアパネルの少なくとも一方に固定する工程、及び
前記フロアパネルの隣接した接合縁部分のうちの少なくとも一方に形成され、隣接したフロアパネルを互いに接合したときに圧縮されるようになった接合シールを、前記フロアパネルの前記接合縁部の形成と同時に形成する工程を含み、
前記接合シールは、隣接したフロアパネル間の垂直接合平面に沿って水分が浸透しないようになっている、ことを特徴とする方法。
【手続補正２】
【補正対象書類名】明細書
【補正対象項目名】全文
【補正方法】変更
【補正の内容】
【発明の詳細な説明】
【発明の名称】シール手段を持つフロアパネル
【技術分野】
【０００１】
本発明は、全体として、フロアパネル用防水性接合システムの分野に関する。本発明は、機械的に接合できるフロアパネル用防水性係止システム、このような係止システムを備えたフロアパネル、このようなフロアパネルを製造するための半製品、及びこのような半製品及びフロアパネルを製造するための方法に関する。本発明は、フロアパネルと一体化した機械式係止システム、例えば国際特許第ＷＯ９４２６９９９号、国際特許第ＷＯ９９６６１５１号、国際特許第ＷＯ９９６６１５２号、スウェーデン特許第ＳＥ０１００１００−７号、及びスウェーデン特許第ＳＥ０１００１０１−５号（ヴァーリンゲアルミニウムＡＢが所有している）に記載されており且つ図示された種類のシステムで使用するのに特に適しているが、フロアの接合に使用できる随意の接合システムでも使用できる。
【０００２】
更に詳細には、本発明は、とりわけ、コア及びこのコアの上側に装飾表面層が設けられた種類のフロア用の防水性係止システムに関する。
【背景技術】
【０００３】
本発明は、フロアパネルで形成されたフローティングフロアで使用するのに特に適している。これらのフロアパネルは、一方では、フロアパネルと一体化した即ち工場で取り付けた接合システムで機械的に接合され、他方では、装飾積層体又は装飾プラスチック材料でできた一つ又はそれ以上の好ましくは防水性の上層、ファイバボードを基材とした材料又はプラスチック材料でできた中間コア、及びコアの後側に設けられた好ましくは下バランス層でできている。従って、当該技術の現状、周知のシステムと関連した問題点、及び本発明の目的及び特徴の以下の説明は、非限定的例として、先ず最初にこの適用分野に注目し、詳細には、長側部及び短側部の両方で機械的に接合されるようになった矩形フロアパネルで形成された積層体フローリングに注目する。しかしながら、本発明は、随意の接合システムを持つ随意のフロアパネルで使用できるということに着目すべきである。これらのフロアパネルは、コアを有し、切削により最終形状が与えられる。かくして、本発明は、均質な木製フローリング、及び木材又はファイバボードを基材とした材料の二つ又はそれ以上の層及び木製の装飾表面層を持つ木製フローリングにも適用できる。かくして、かくして、本発明は、堅木、合板、パーティクルボード、ファイバボード、ＭＤＦ、ＨＤＦ等の木材繊維を基材とした任意の材料を含むフロアパネルに適用できる。本発明は、主として、フロアパネルの前側から接合システムに浸透する水分と関連した問題点を論じる。これらの水分の問題点を解決するために示されたシステム及び方法は、水分がフロアパネルの後側から接合システムに浸透しないようにする場合にも適用できる。
【０００４】
積層体フローリングは、通常は、厚さが６−９ｍｍのファイバボード製のコア、厚さが０．２−０．８ｍｍの積層体製の上装飾層、及び厚さが０．１−０．６ｍｍの積層体、プラスチック、紙、等でできた下バランス層を含む。表面層は、フロアパネルに外観及び丈夫さを提供する。コアは安定性を提供し、バランス層は一年の間に相対湿度（ＲＨ）が変化する場合にパネルを平らな状態に保持する。ＲＨは、冬期の１５％と夏期の９０％との間で変化する。フロアパネルは、通常は、フローティング状態で、即ち接着剤なしで下張り床に敷設される。下張り床は滑らかであったり平らであったりする必要がない。フロアパネルと下張り床との間に配置された例えばボード又はフォームの形態の下敷材料で凹凸をなくす。この種のフローティングフローリングの従来の硬質フロアパネルは、一般的には、長側部及び短側部の接着さねはぎ（即ち、一方のフロアパネルに設けられたタング及び隣接したフロアパネルのタング溝による継手）を用いて接合される。敷設時にこれらのパネルを水平方向で接合し、一方のパネルの接合縁部に沿って設けられた突出タングを隣接したパネルの接合縁部に沿って設けられたタング溝に挿入する。同じ方法が長側部並びに短側部に適用される。
【０００５】
接着さねはぎによって接合されたこのような従来のフロアの他、今日、接着剤を使用する必要がなく、その代わりにいわゆる機械式接合システムによって機械的に接合されるフロアパネルが開発された。これらのシステムは、パネルを水平方向及び垂直方向で係止する係止手段を含む。機械式接合システムは、パネルのコアを機械加工することによって形成できる。別の態様では、別の材料で係止システムの部分を形成でき、これをフロアパネルと一体化し、即ちフロアパネルの製造と関連してフロアパネルと接合する。
【０００６】
機械式接合システムを備えたフローティングフロアの主な利点は、内方への傾け及びスナップ嵌めの様々な組み合わせによって容易に且つ迅速に設置できるということである。更に、再び取り外して別の場所で再使用することを容易に行うことができる。機械式接合システムの別の利点は、良好な接着性を備えることを必要としない材料でフロアパネルの縁部を製造できるということである。最も一般的なコア材料は、寄木フロアの木材、通常はＨＤＦ即ち高密度ファイバボードと呼ばれる高密度で安定性が良好な積層フローリングファイバボードである。場合によっては、ＭＤＦ即ち中密度ファイバボードがコアとして使用される。
【０００７】
積層フローリング、及びプラスチック、木材、合板、コルク、等でできた表面層を持つこの他の多くのフローリングは、表面層及びバランス層をコア材料に適用することによって製造される。この適用は、例えば、含浸させた複数の紙シートを高温高圧で圧縮する別の作業で製造された高圧装飾積層体をファイバボードに設けるとき、予め製造した装飾層を接着することによって行うことができる。しかしながら、現在の最も一般的な積層フローリング製造方法は、装飾積層層の製造及びフォームボードへの取り付けの両方を一つの同じ製造工程で行うという更に進んだ原理に基づく直接積層である。含浸させた紙シートをボードに直接適用し、圧力及び熱が作用した状態で接着剤を用いずに圧縮する。
【０００８】
これらの二つの方法に加え、コアに表面層を提供するための多くの他の方法が使用される。装飾パターンをコアの表面に印刷でき、これを次いで、例えば磨耗層でコーティングする。更に、コアには、木材、合板、装飾紙又はプラスチックフィルムでできた表面層を設けることができ、次いでこれらの材料を磨耗層でコーティングできる。
【０００９】
概して、上掲の方法により、大きなパネルの形態のフロアボードエレメントが形成され、次いでこれを鋸断して例えば数十のフロアボードにし、その後、これに機械加工を施してフロアパネルにする。場合によっては、上述の方法により完成したフロアボードが得られ、その場合には、フロアパネルを完成するために機械加工を行う前に鋸断を行う必要がない。個々のフロアボードの製造は、通常は、ボードが木材又は合板の表面層を備えた状態で行われる。
【００１０】
全ての場合において、上述のフロアボードは、それらの縁部に沿って個々に機械加工されてフロアパネルにされる。縁部の機械加工は、最新式の研削機で行われる。これらの研削機では、フロアボードは一つ又はそれ以上のチェーン及びバンドの間に正確に位置決めされる。チェーン及びバンドは、フロアボードの縁部を加工するダイヤモンド切削工具又は金属製切削工具が設けられた多くの研削モータを通って高速で及び非常に高い精度で移動できるように取り付けられている。異なる角度で作動する複数の研削モータを使用することによって、最新の接合形態を１００ｍ／分を越える速度で及び±０．０２ｍｍの精度で形成できる。
【００１１】
〔用語の定義〕
下文において、完成して取り付けられたフロアパネルの目に見える表面を「前側」と呼ぶのに対し、下張り床に面するフロアパネルの反対側を「後側」と呼ぶ。
【００１２】
使用されるシート状開始材料を「コア」と呼ぶ。「ファイバボードコア」という用語は、均質な木材、ＭＤＦ、ＨＤＦ、パーティクルボード、フレークボード、合板、等の木材繊維を含むコア材料を意味する。コアを前側の最も近くで表面層でコーティングし、後側の最も近くでバランス層でコーティングした場合、「フロアボード」又は「フロアエレメント」と呼ばれる半製品が形成される。
【００１３】
「フロアボード」は、一般的には、フロアボードから製造されるべきフロアパネルと本質的に同じ大きさである。かくして、フロアボードは、一般的には、フロアパネルに形成される。
【００１４】
他方、「フロアパネル」は、代表的には非常に大きく、そのためこれから少なくとも二つのフロアパネルを製造できる。かくして、フロアエレメントは、通常は、幾つかのフロアボードに分割され、次いでこれらのフロアボードをフロアパネルに形成する。
【００１５】
従って、接合システムを含む最終的な形状をフロアボードに提供するようにフロアボードの縁部を機械加工したとき、これらのフロアボードを「フロアパネル」と呼ぶ。「表面層」という用語は、コアに前側の最も近くに適用された全ての層及び好ましくはフロアボードの前側全体を覆う全ての層を意味する。「装飾層」という用語は、フロアに装飾的外観を与えるようになった層に関する。「磨耗層」という用語は、とりわけ、前側の丈夫さを向上するようになった層に関する。
【００１６】
フロアパネルの前側と後側との間の縁部のところにある外部分は、「接合縁部」と呼ばれる。概して、接合縁部は幾つかの「接合面」を有する。これらの接合面は垂直面、水平面、角度をなした面、丸味のある面、面取りを施した面、等である。これらの接合面は、フロアパネル及び接合システムに含まれる様々な材料、例えば積層体、ファイバボード、木材、合板、プラスチック、金属（特にアルミニウム）、又はシール材料に見られる。「接合縁部分」は、接合縁部及び接合縁部に最も近いフロアパネル部分に関する。
【００１７】
「接合部」又は「接合システム」という用語は、フロアパネルを垂直方向及び／又は水平方向で接合する協働連結手段を意味する。
【００１８】
積層フローリング及び木製フローリングは、多くの場合、厨房、玄関や廊下、開放ラウンジに敷かれ、こうしたところでは、例えば、濡れた靴で床の上を歩く人々により、及び床を水等で清掃する場合、常に水に曝される。最近では、積層フローリングは浴室でも使用される。積層木製フローリングは世界中で販売されており、相対湿度が９０％を越える湿度の高い気候で設置されている。
【００１９】
水が材料に浸透する場合、又は蒸発した又は凝縮した水が材料の内外に見られる場合、これを一般的に「水分」と呼ぶ。
【００２０】
「防水性材料」という用語は、一般的には、水分を或る程度吸収する材料又は水分による損傷を受けない材料を意味する。
【００２１】
床の水分
上文中に言及したように、ファイバボードを基材としたコアを持つ積層フロアが室内で水分に或る程度露呈された場合、水分が、隣接したフロアパネル間の接合部を通って、前側に最も近い接合システムの上部分に浸透でき、及びかくしてコア及びその木材繊維に侵入する。加えられた水分の量が少ない場合には、水は、通常は、或る程度の時間が経過した後に蒸発するが、特にコアの品質が高くない場合や積層体が薄い場合、接合縁部分が永久的に膨潤し、上接合縁部分の縁部が持ち上がり、表面層に亀裂を生じる。更に、縁部の持ち上がりにより、接合縁部周囲の表面層に大きな磨耗が生じる。木製フロアの場合には、接合縁部は、更に、高い相対湿度で膨潤し、これにより接合縁部を損傷する。
【００２２】
水分が過度に加えられた場合や長期に亘って頻繁に加えられた場合には、水分が接合システム全体を通って下張り床に浸透し、例えば黴（カビ）の形態の重大な損傷を生じる。これは、フロアパネルが防水性コアでできている場合にも起こる。これは、防水性コアが、概して、単に接合縁部分が膨潤しないようにするだけであったり水分がコア内に拡がらないようにするためである。防水性コアは、水分が接合システムを通って下張り床に拡がらないようにできない。接合システムを通るこの水分の進入は、機械式接合部がフロアパネルの多くの接合面を含む形態を備えており、これらの接合面が、隣接したフロアパネルの対応する接合面と接触していない場合に助長される。このような幾何学的設計は、例えば製造を容易にし、係止位置にあるフロアパネルの隣接したフロアパネルの接合縁部に沿った変位を容易にするが、このような幾何学的形態は、水分が接合システムを通って侵入しないようにする上では有利でない。
【００２３】
一般的に、機械式接合システムは、接着剤を用いる従来の接合システムよりも水分に弱いと誤って考えられている。これは、接着剤が接合システムへの水分の侵入を防ぐと考えられているためである。しかしながら、環境に優しい水性の接着剤を用いて接着したフロアは、接合システムへの水分の侵入を防ぐことができない。これは、一つには、接着剤が接合システムの一部にしか設けられていないためである。別の理由は、接着剤層と接触した水分が接着剤接合部を溶解してしまうためである。接合システム及びパネルに侵入した水分は接合部を緩くしてしまう。
【００２４】
積層フロア及び木製フロアは、高い相対湿度及び水が表面に及ぼす作用に良好に抵抗できれば、特にプラスチックフロアやタイルフロアよりもかなり大きく市場を専有できる。
【００２５】
〔従来技術及びその問題点〕
積層フロアの表面が水に露呈された場合、防水性表面層により、水分が表面を通ってコアに侵入しないようにする。表面層を通ってコアに侵入する限られた量の水分は、概して、損傷を生じない。接合部では、水分が隣接したフロアパネルの上接合縁部間に侵入し、水分が防水性表面層を通過して水分の影響を受け易いコアに達すると、水分がコア内に拡がると同時にフロアパネルの後側に向かって移動し続ける。コアが木材繊維を含む場合には、これらが膨潤する。その結果、接合縁部分内のフロアパネルの厚さが増大し、表面層が持ち上がる。この垂直方向膨潤により、フロアが損傷する。水分が追加に供給されると、この水分は、接合システムを通過して下に敷いたボードや下張り床に達するまで、後側に向かって下方に拡がる。これにより損傷が更に大きくなる。
【００２６】
これらの問題点を解決するため、様々な方法が使用されてきた。接合面を水分シール材料、例えばワックスやシリコーンでコーティングすることによって、水分が接合縁部からフロアパネルに侵入しないようにする試みがなされてきた。この種の解決策は、とりわけ、国際特許第ＷＯ９４２６９９９号（ベーリンゲアルミニウムＡＢ）及び欧州特許第ＥＰ０９０３４５１号（ユニリンビーアＢ．Ｖ．）に記載されている。隣接したフロアパネル間に弾性シール手段を挿入することによって、水分がフロアパネルの前側から後側に接合部に沿って移動しないようにする試みがなされた。このような解決策は、とりわけ、国際特許第ＷＯ９７４７８３４号（ユニリンビーアＢ．Ｖ．）に記載されている。
かくして、水及び水分の作用に対する接合システムの耐久性を様々な方法で改良するため、幾つかの方法が使用されてきた。
【特許文献１】国際特許第ＷＯ９４２６９９９号
【特許文献２】欧州特許第ＥＰ０９０３４５１号
【特許文献３】国際特許第ＷＯ９７４７８３４号
【特許文献４】欧州特許第ＥＰ１０４５０８３Ａ１号
【特許文献５】米国特許第６、１０１、７７８号
【特許文献６】ドイツ国特許第ＤＥ２０００２７４４Ｕ１号
【特許文献７】英国特許第ＧＢ２１１７８１３号
【特許文献８】欧州特許第ＥＰ０６６５３４７Ａ１号
【特許文献９】国際特許第ＷＯ９９６６１５２号
【００２７】
最も一般的な方法は、密度及び水分に対する保護に関して高品質のＨＤＦパネルでフロアパネルのコアを形成することである。水分に対するコアの保護は、コアの製造時に、多くの場合、特別の木材ファイバの使用と組み合わせて特定のバインダーを追加することによっても向上させることができる。この方法は、水分の浸透時の膨潤を大幅に減少できるけれども、この膨潤は完全にはなくならない。この方法の主な欠点は費用である。フロアパネル全体が同じ高い品質を持つが、これらの特定の性質は、接合縁部と関連したフロアパネルの限られた部分でしか使用できない。別の欠点は、この方法がフロアの前側から後側へ接合システムを通過する水分の移動に対する保護を提供しないということである。
【００２８】
更に、接合システムの木材繊維を含浸し又は強化する特別な化学物質をスプレー等の方法で接合縁部に適用することによってフロアパネルのコア内へ水分が浸透しないようにできるということも知られている。この化学物質の適用は、機械加工によって接合部に最終形状及び幾何学的形態を与えた後に行われる。概して、含浸は、フロアパネルの縁部の機械加工と関連して直ちに行われる。これは、製造のこの工程でパネルが機械加工機器の駆動チェーン又はベルトによって正しい位置に保持されているという状況を使用するのが望ましいためである。
【００２９】
スプレー、ロール掛け、スプレッディング、等による適用を含む様々な方法を使用して含浸材料を接合システムに適用できる。最も一般的な含浸材料は、溶融したワックス、及びオイル、ポリウレタンを基材とした含浸剤等の様々な種類の液体、及び多くの他の化学物質であり、これらは全て、水分が上接合縁部間に浸透するために膨潤が生じる危険を減少するように接合縁部からコア内へ水分が浸透しないようにするのに役立つ。
【００３０】
全ての適用方法は複雑であり、高価であり、満足のいく結果を与えない。防水性隅部を形成するのが特に困難である。例えば、移動するフロアパネルへのスプレーによる適用の開始が遅過ぎる場合には、隅部に最も近い縁部に含浸がなされない。スプレーの終了が遅過ぎる場合には、含浸液が外気中に流出し、これによって機器が汚れたり、望ましからぬ溶剤又は含浸剤が空気中に、及び製造が行われる部屋に拡がる。更に、コアを接合縁部のところで表面層の真下を、接合縁部に最も近いフロアパネルの表面を汚すことなく、含浸するのは困難である。更に、水分及び膨潤に最も曝される表面層の真下の領域を深く且つ均等に含浸するのは困難である。機械加工及びかくしてこれに続いて行われる含浸が非常に高速で及びフロアパネルの表面層を下に向けて行われることにより、全てが悪くなる。別の欠点は、特に、環境に優しい水性の含浸剤による含浸は、繊維を膨潤させたり、凝固した含浸剤層を接合システムに固着し、接合部の形状を制御されていない方法で変化させる。
【００３１】
以上の方法では、水分がフロアパネルの前側から接合面に沿って下方にフロアパネルの後側まで移動することがないようにする信頼性のあるシールが形成されない。また、木製フロアの上接合縁部分の膨潤の問題点を解決しない。
【００３２】
更に、膨潤せず水分を吸収しないプラスチック製コア材料を使用できるということが知られている。これは、接合された二つのフロアパネル間で水分が接合部から遠ざかる方向に水平方向に移動しないようにする完全なシールを提供する。プラスチックは、プラスチック材料製パネルがファイバボードよりもかなり高価であるため、及び装飾表面層をプラスチック材料製のパネルに接着したり直接積層するのが困難であるため、有利でない。更に、プラスチックの機械加工は、フロアパネルの前記連結手段を四つの縁部全てに沿って形成するためのファイバボードを基材とした材料の機械加工よりも遙かに困難である。プラスチックコアを持つフロアパネルの一例が欧州特許第ＥＰ１０４５０８３Ａ１号で提供される。プラスチック材料製連結手段を持つフロアパネルの一例が米国特許第６、１０１、７７８号で提供される。
【００３３】
上述の国際特許第ＷＯ９４２６９９９号（ベーリンゲアルミニウムＡＢ）には、水分がフロアパネルにフロアパネルの前側からフロアパネルの後側まで浸透しないようにするためのシステムが開示されている。この文献は、設置前に接着剤システムに適用されるシリコーン又は何らかの他のシーリングコンパウンド、ゴム製ストリップ又は何らかの他のシーリング装置を使用することを示唆している。国際特許第ＷＯ９４２６９９９号（ベーリンゲアルミニウムＡＢ）によるシステム、即ち製造と関連して接合部に適用されるシーリングコンパウンド又はシーリング装置を使用した水分に対するシールにも欠点がある。これらの欠点は、スプレー又はスプレッディングによる縁部含浸と本質的に同じである。更に、汚れシールコンパウンドの付いたパネルを取り扱うのは困難である。シールコンパウンドの性質は、経時的に変化してしまう場合がある。シールコンパウンドが敷設と関連して適用される場合には、敷設が困難になり、費用がかかる。
【００３４】
フロアパネルに含浸を施すための一つの方法がドイツ国特許第ＤＥ２０００２７４４Ｕ１号に開示されている。
【００３５】
水分の浸透を防ぐシールを形成するための一つの方法は、例えばゴム製シーリングストリップの形態のシーリング装置を敷設と関連して接合部に挿入することである。この方法も困難であり且つ費用がかかる。シーリング手段を製造と関連して接合部に適用する場合には、シーリング手段を最適の機能のためにどのように設計すべきであるのか、適用を合理的な方法でどのように行うのか、及びシールが長側部及び短側部の両方で全フロアパネルの接合縁部に沿って機能できるように隅部をどのように設計すべきであるのかが知られていない。上述の国際特許第ＷＯ９７４７８３４号（ユニリンビーアＢ．Ｖ．）は、図１０において、シーリング手段を、上接合縁部間に、隣接したフロアパネル間に狭幅の隙間が見えるように、どのように見えるように適用するのかを示す。
【００３６】
更に、挿入された弾性シーリング手段を接合部で使用することは、階高さ（ｓｔｏｒｙ−ｈｉｇｈ）壁エレメントの接合と関連して周知である。これは例えば、接合システムを開示する英国特許第ＧＢ２１１７８１３号に示してあるが、この接合システムは、接合隙間がほとんど見えないように敷設されるべきフロアパネルには適していない。
【００３７】
更に、欧州特許第ＥＰ０６６５３４７Ａ１号に示されているように、シーリングペースト又は耐水性接着剤をフロアパネル間の接合部に適用することは周知である。しかしながら、このような方法は、パネルの設置時にシールを適用することを必要とする。更に、接着剤によって連結されるフロアパネルに固有の欠点の多くが残る。
【００３８】
更に、コアの長側部又は短側部の縁部に別の材料を設けることができるということが周知である（国際特許第ＷＯ９９６６１５２号参照）。このような別の材料はコアに取り付けられ、次いで、強度、水分に対する保護、又は可撓性といった係止システムの特定の機能を持つように機械加工が施される。しかしながら、上文中に説明した水分の問題点を最適の方法で解決するためにこれらの材料をどのように適用するのか及び形成するのかは知られていない。
【００３９】
水分が接合縁部からフロアパネルに浸透することと関連した特定の問題点が、繊維の方向が異なる幾つかの木材層を持つ木製フロアパネルと関連して生じる。これは、木材が繊維の方向に対して横方向に、繊維の方向に沿った方向よりも大きく膨潤するためである。このことは、繊維の方向がフロアパネルの長さ方向の表面層、及び繊維の方向が異なる、例えばフロアパネルの横方向のコアを持つ木製フロアが、水分の多い又は相対湿度が高い環境に設置されると、表面がフロアパネルの横方向にコアよりも大きく膨潤するということを意味する。その結果、上接合縁部分及び特定的には接合面に最も近い部分が膨潤し、フロアパネルの表面と平行に膨張し、フロアパネルを移動して離す。これに対し、コアに形成された接合システムはほとんどその形態を保持する。例えば装飾層（表面層）が圧縮されることによって損傷が生じ、接合システムが壊れるか或いは係止システムの係止機能が全く又は部分的に失われる。
【００４０】
接合されたフロアパネルと関連した水分の問題点は、本質的には、以下の事項と関連しているということがわかる。
【００４１】
＊接合縁部分の垂直方向及び水平方向の膨潤、及び
＊接合システムを通る水分の浸透。
【００４２】
手短に述べると、水分が接合縁部からフロアパネル内を移動しないようにするシールを設けることに関し、複数の周知の方法があり、これらのうち、品質並びに価格に関して満足のいく結果をもたらすものはないと言うことができる。水分がフロアパネルの前側から後側まで接合部に沿って移動しないようにするシールに関し、このような水分の移動が起こらないようにするシールが、場合によっては製造に関して、パネルに設けられる一体化した設計を可能にする周知の解決策はない。
【発明の開示】
【発明が解決しようとする課題】
【００４３】
本発明は、とりわけ、互いに接合できるフロアパネル用の防水性係止システムで必要な幾つかの種類のシールを含むことができるという理解に基づく。これらのシールは、
＊接合縁部が膨潤しないようにする「材料シール」、
＊膨潤、及び接合システムを通る水分の浸透が起こらないようにする「材料シール」及び「接合シール」、及び
＊接合縁部の膨潤及び収縮を補償する「補償シール」である。
【００４４】
「材料シール」という用語は、水分がフロアパネルの接合縁部からフロアパネル内に拡がらないようにするシールを意味する。「接合シール」という用語は、水分が接合面に沿って接合部を通って移動しないようにするシールを意味する。「補償シール」という用語は、例えば周囲空気中の相対湿度の変化によって含水量が変化することによるフロアパネル内の水分によって生じる材料の移動（膨潤及び収縮）に合わせて調節するシールを意味し、このシールは、圧縮応力に対抗し、水分によるこのような材料の移動により隣接したフロアパネルの上接合縁部間に目に見える隙間が生じることがないようにする。
【００４５】
以上の説明から明らかなように、水分によりフロアパネル及びフロア材料に関して生じる問題点に対する周知の解決策は全く満足のいくものではなかった。幾つかの解決策は、所期の効果に関して不十分であり、別の解決策には製造及び敷設と関連して困難を生じる欠陥があったが、これらの別の解決策は費用の観点から満足のいくものではなかった。
【００４６】
従って、本発明の目的は、フロアパネルの製造及び使用について水分シールと関連して残った問題点の一つ又はそれ以上をなくすか或いは大幅に減少することである。本発明の別の目的は、フロアパネルコア、フロアボードエレメント、フロアボード、及びフロアパネルを製造するための、合理的であり且つ対費用効果に優れた製造方法を提供することである。
【００４７】
これらの及び他の目的は、独立項に記載した特徴を持つフロアパネル、フロア、及び製造方法によって達成される。従属項及び以下の説明が本発明の実施例を限定する。
【００４８】
本発明は、機械式係止システムを持つフロアパネルで、及び機械加工前に複数のボードに分割されるボードエレメントから形成されたフロアパネルで使用するのに特に適している。しかしながら、本発明は、接合システムが接着されたフロアや、機械加工によりフロアパネルにするために別々のフロアボードとして直接製造された、かくして、続いて行われる個々のフロアボードの機械加工前に大きなボードエレメントを分割することによって製造されるのでないフロアパネルにも使用できる
【課題を解決するための手段】
【００４９】
かくして、本発明の第１の特徴によれば、木材繊維を基材としたコアを持つ本体を含むフロアパネルであって、少なくとも二つの平行な両接合縁部分には、このフロアパネルを同様のフロアパネルに水平方向で機械的に接合するための連結手段が設けられており、連結手段は作用係止面を有し、これらの作用係止面は、フロアパネルの接合後、隣接したフロアパネルの対応する作用係止面と協働する、フロアパネルが提供される。このフロアパネルは、作用係止面のうちの少なくとも一方の全体又は一部が、フロアパネルの本体の材料以外の弾性変形可能な材料形成されている、ことを特徴とする。
【００５０】
本発明の第２の特徴によれば、フロアパネルの二つの隣接した縁部間に接合部を形成するためのシステムであって、フロアパネルはコア及びこのコアの上側に適用された表面層を含み、表面層は少なくとも一つの層を含み、フロアパネルは、これらのフロアパネルを垂直方向で互いに接合するための連結手段をそれらの隣接した接合縁部分のところに有し、隣接した上接合縁部は垂直方向接合平面で出会う、システムが提供される。このシステムは、両接合縁部分のうちの少なくとも一方には、フロアパネルを互いに接合するとき、水分が隣接したフロアパネル間の垂直方向接合平面に沿って侵入しないようにするための接合シールが設けられており、この接合シールは、フロアパネルの少なくとも一方に固定された弾性シール材料で形成されており、フロアパネルの接合縁部の形成と関連して形成され、隣接したフロアパネルが互いに接合されるときに圧縮されるようになっている、ことを特徴とする。
【００５１】
本発明の第３の特徴によれば、コア及びこのコアの上側に適用された表面層を含むフロアパネルであって、表面層は少なくとも一つの層を含み、フロアパネルの両接合縁部分には、フロアパネルを同様のフロアパネルに垂直方向で接合するための連結手段が設けられ、接合されたフロアパネルの上接合縁部は、垂直方向接合平面で出会う、フロアパネルが提供される。このフロアパネルは、接合されたフロアパネルの向き合った接合縁部分のうちの少なくとも一方に、隣接したフロアパネル間の垂直方向接合平面に沿って水分が浸透しないようにするための接合シールが設けられており、この接合シールは、フロアパネルに固定されており且つフロアパネルの接合縁部（８２、８３）の形成と関連して形成される弾性シール材料でできており、フロアパネルを同様のフロアパネルに接合したときに弾性変形するようになっていることを特徴とする。
【００５２】
かくして、本発明の第１、第２、及び第３の特徴によれば、フロアパネルの膨潤又は収縮に対するシール手段及び／又は補償手段として作用する弾性変形可能な材料をコアに挿入して固定できる。弾性変形可能な材料は、完成したフロアパネルの連結手段を形成するために後に機械加工される部分に適用される。弾性変形可能な材料は、かくして、接合システムの残りの部分の機械加工と同時に又はこの機械加工と関連して機械加工される。その結果、弾性変形可能な材料は、上文中に言及した接合シール又は補償手段を形成するための位置及び寸法が正確に定められたシールに形成できる。
【００５３】
本発明の第４の特徴によれば、フロアボード、少なくとも二つのフロアボードに分割されるようになったフロアエレメントを製造するための、コアの形成方法であって、コアをシート状材料から形成し、これからフロアボードを垂直方向で係止するための係止システムの一部を形成する工程を含む形成方法が提供される。この方法は、シート状材料に溝を形成する工程、及び弾性シール材料を溝に挿入する工程を含む、ことを特徴とする。
【００５４】
本発明の第５の特徴によれば、本発明の第４の特徴と関連して上文中に説明した工程を含む、フロアパネルの製造で使用するための方法が提供される。この方法は、係止システムの形成と関連して弾性シール材料を形成して接合シールにする、ことを特徴とする。
【００５５】
鋸断や研削等の適当な方法によって、表面層（例えば装飾表面層）をコアに適用する前に、例えば、接合システムの縁部の機械加工が後に行われる領域の表面に一つ又はそれ以上の溝が形成されるように、コアに予備処理を施すことができる。次いで、適当には含浸又は押出し又は任意の他の適当な方法によって、適当なシール材料を溝に適用する。シール材料は、材料シールを形成してもよく、及び／又は接合シールに合わせて形成できる防水性で弾性変形可能な固体材料に変化する特性を備えていてもよい。この場合、表面層をコアの表面に、シール材料が設けられた溝に亘って適用できる。本発明のこの特徴によれば、表面層の適用後にシール材料を同様の方法で適用することもできる。この場合、溝をフロアエレメント又はフロアボードの表面層及びコアに又はフロアボードのコアだけに形成する。フロアエレメントを鋸断してフロアボードにするとき、縁部にはシール材料が設けられている。シール材料をフロアボードの溝又は機械加工を施した縁部分に適用する場合、シール材料の適用と関連して基準面を機械加工するのが好ましい。この基準面は、フロアボードの縁部の外部分であってもよい。次いで、係止システム及び接合シールの最終的な機械加工を第２製造工程で行うことができる。第２製造工程では、基準面を使用してフロアボードを機械加工工具に関して位置決めできる。この方法により、シール材料を接合面及びフロアパネルの表面に関して約０．０１ｍｍの許容差で位置決めできる。接合シールをコアに及び厚さが０．１ｍｍ乃至０．５ｍｍの表面層に位置決めし形成することができる。接合シールは、木材繊維コアを保護し、水分が係止システムを通って浸透しないようにする。この方法により、シール材料を備えて製造できる全ての種類の積層フロアにシールを適用でき且つ形成できる。本方法は、これよりも厚い表面、例えば１ｍｍ乃至３ｍｍのプラスチック製及びリノリウム製の表面にも使用できるということは明らかである。このようなシールは表面からは見えず、防水性表面層の下にある木材繊維コアを保護する。シール材料が可撓性である場合には、水分が係止システムを通って浸透しないようにもできる。
【００５６】
接合シールを形成するため、原理的には、押出しによって液体形態又は半液体形態で適用できるフォーム等の任意の周知のシール材料を使用できる。このシール材料は、適用後に成形でき、弾性変形可能であり、防水性である。シール材料は、コアに付着できる性質を備えているのが有利である。しかしながら、このような接着性は必ずしも必要ではない。これは、シール材料を機械的に、例えばアンダーカット溝に取り付けることもできるためである。
【００５７】
フロアパネルの製造の次の機械加工は、シール材料を部分的にだけ除去し又は再成形するように行われる。例えば、シール材料は、切削によって、長側部全体及び短側部全体に沿って、及び隅部に正確に位置決めされ、更に表面層に関して正確に位置決めされた弾性変形可能な接合シールに形成できる。
【００５８】
接合シール及び特に水分シールを提供するその作用部分には、切削によって随意の外形状を形成できる。これは、形成される接合システムの残りに関して非常に狭い許容差で形成できる。
【００５９】
装飾層と接合シールとの間の接合システムにも材料シールが設けられている場合には、長側部及び短側部及び隅部の全てに防水性接合部を備えたフロアパネルでできたフロアが形成される。フロアが、更に、フロアと関連して適当なシール材料又はシールストリップが設けられた例えばプラスチック材料製の防水性ベースボードを備えている場合には、フロアは全ての接合部及び壁に沿って完全に防水性である。
【００６０】
表面層と接合シールとの間の材料シールは、上述の含浸の他に、多くの様々な方法で形成できる。これらの方法は、例えば、
＊コアを防水性材料で形成できる。
【００６１】
＊直接積層フロアでは、装飾層の直ぐ下のコアの上部分を、例えば以下の記載に従って含浸できる。
【００６２】
＊更に、接合シールが適用されるコアの溝に含浸材料を適用できる。
【００６３】
＊高圧積層体でできたフロアでは、フェノールを含浸したクラフト紙でできた、装飾層の下の積層体強化層が材料シールを構成できる。
【００６４】
＊別の変形例では、パネル全体のコアと装飾層との間に防水性プラスチック層を適用する。
【００６５】
接合縁部を保護するため及び材料シールを形成するため、接合シールを適用するのと同様の方法で、他の性質の材料、例えば非圧縮性材料を適用できる。
【００６６】
材料シールは、コア表面全体を覆う、弾性であり且つ音響減少性の一つ又はそれ以上の材料で形成されていてもよい。同じ費用で、水分シール性で音響を減少する更に軟質なフロアを提供できるという利点が得られる。接合シールの部分もまた材料シールを構成する。最後に、接合シール全体又はその部分もまた材料シールを構成できる。このことは、接合シールが、コアを含浸した又はしていない材料シールとしても役立つということを意味する。
【００６７】
以上から明らかなように、本発明のこの特徴は、木材繊維を基材とした、例えば、ファイバボードを基材としたコア材料に適しているが、プラスチックやプラスチック及びファ  イバボードを基材とした材料の様々な組み合わせ等の防水性コア材料にも適している。
【００６８】
接合シールを提供するのに使用できる材料の非限定的例として、アクリルプラスチックを基材とした材料、合成ゴムでできたエラストマー、ウレタンゴム、シリコーンゴム等、又はポリウレタンを基材としたホットメルト接着剤に言及できる。
【００６９】
一実施例では、フロアパネルは、長期に亘り、及びフロアパネルの膨潤及び収縮中、シール材料を備えた接合縁部を別のシール手段と又は他の接合縁部とぴったりと接触した状態に互いに保持する機械式接合システムを備えていてもよい。この方法及びシステムは、従来の接着されたさねはぎで機能できるが、かなり費用がかかり、機械式接合システムを用いた場合よりもぴったりとした接合部を提供するのが困難である。
【００７０】
敷設に関し、例えばフロアの部分又はフロア全体の接合部の強度及び防水性を更に高める目的で、上述の接合システムに接着剤、シール材料、等を加えることができる。
【００７１】
本発明の範囲内で長側部及び短側部を様々な方法で形成できる。理由は、敷設中の連結方法を長側部及び短側部で変えることができるためである。例えば、長側部は、内方に傾けることによって係止でき、短側部はスナップ嵌めによって係止でき、これには材料の性質、接合部の形状、及びシールの形状が異なることを必要とし、この場合、一方の側部は内方に傾ける上で最適化してあり、他方の側部はスナップ嵌めを行う上で最適化してある。別の理由は、パネルが細長い場合、フロアの各ｍ2 あたりの長側部接合部が短側部接合部よりもかなり多いということである。材料費の最適化により様々な接合部設計を提供できる。
【００７２】
例えば接合シールの下部分が形成される部分を強化するため、表面層及びバランス層の適用前にコアの特定の領域を含浸し及び縁部強化することを後側で使用できる。これは、例えば、強固で可撓性のストリップ即ち下リップ、及びストリップ即ち下リップをコアと一体成形する場合の強固な係止エレメントを形成するために使用できる。例えば、ストリップがコアと異なる材料、例えばアルミニウムで形成された場合には、ストリップが固定される、又はパネルが係止エレメントと協働する重要な部分を強化するために後側からの含浸を使用できる。
【００７３】
更に、上述の製造方法は、弾性係止手段を含む機械式接合システムの製造に使用できる。これらの弾性係止手段は、隣接した上接合縁部が膨潤するときに互いにプレスでき、収縮時に膨張できる。このようにして、水平方向膨潤の問題点を解決し、乾燥したフロアに目に見える隙間が形成されることがないようにする。この膨潤の問題は、主として長側部に関するため、これに関して隅部は含まれない。従って、弾性変形可能な材料を固体の形態で溝に機械的に、例えばスナップ嵌めで又はアンダーカットに押し込むことによって、又は溝の縁部に接着することによって適用できる。かくして、これらの弾性係止手段は、「弾性補償シール」として役立つ。
【００７４】
コアの所定の領域に部分的材料シールを提供する上述の製造方法は、更に、シート状コアの製造と関連して使用できる。この場合、含浸材料は、コアに形成された、木材繊維及びバインダーでできたコンパウンドで、又は製造プロセスで最終形状に形成されたコアと関連して適用される。
【００７５】
本発明の第６の特徴によれば、長側部、短側部、コア、及びこのコアの表面上に配置された表面層を含み、表面層は磨耗層及び装飾層を含む矩形フロアパネルであって、このフロアパネルには、フロアパネルを同様のフロアパネルに垂直方向で及び水平方向で長側部及び短側部に沿って接合するための係止システムが両接合縁部分と隣接して設けられており、係止システムはコアから少なくとも部分的に形成されている、フロアパネルが提供される。このフロアパネルは、水分がフロアパネルの接合縁部からコアに侵入しないようにするための材料シールを構成する部分を更に含み、材料シールは、
表面層と、
フロアパネルに固定されており、フロアパネルを同様のフロアパネルに接合したとき、水分が隣接したフロアパネル間の接合縁部の接合面に沿って浸透しないようにする弾性変形可能な接合シールとの間に配置されている、ことを特徴とする。
【００７６】
本発明の第７の特徴によれば、少なくとも二つのフロアボードの形成で使用するための、木材繊維を基材としたコア及びこのコアの表面に取り付けられた表面層を含むフロアエレメントが提供される。このフロアエレメントは、コアの表面及び／又は表面層に溝が形成され、この溝は、機械式係止システムが形成されるべきフロアエレメントの部分に配置されており、溝には弾性変形可能な材料及び／又は含浸剤が提供される、ことを特徴とする。弾性変形可能な材料は、連結手段の形成と関連して、少なくとも部分的に、上述の接合シールに形成できる。
【００７７】
本発明の第８の特徴によれば、木材繊維を基材としたコア及びこのコアの表面に取り付けられた表面層を含む、フロアパネルの形成で使用するためのフロアボードが提供される。このフロアボードは、機械式係止システムが形成されるべきフロアボードの上縁部分に溝が設けられ、溝には弾性変形可能な材料及び／又は含浸剤が設けられている、ことを特徴とする。
【００７８】
本発明の第９の特徴によれば、フロアパネルの二つの隣接した縁部間に継手を形成するための方法であって、フロアパネルは、コア、このコアの上側に適用された、少なくとも一つの層を含む表面層、及びフロアパネルを少なくとも垂直方向で互いに接合するため、隣接した接合縁部分のところに設けられた係止システムを含み、その隣接した上接合縁部は垂直方向接合平面で出会う、方法が提供される。この方法は、弾性シール材料をフロアパネルの少なくとも一方に固定する工程、及びフロアパネルの隣接した接合縁部分のうちの少なくとも一方に形成された、隣接したフロアパネルを互いに接合したときに圧縮されるようになった接合シールを、フロアパネルの接合縁部の形成と同時に形成する工程を含む、ことを特徴とする。この方法によれば、接合シールは、隣接したフロアパネル間の垂直接合平面に沿って水分が浸透しないようになっている。
【発明を実施するための最良の形態】
【００７９】
図１のａ乃至ｄは、フロアパネルの四つの製造工程を示す。図１のａは、三つの主要な構成要素である表面層３１、コア３０、及びバランス層を示す。図１のｂは、表面層及びバランス層がコアに取り付けてあるフロアエレメント３を示す。図１のｃは、フロアエレメントを分割することによるフロアボード２の製造方法を示す。図１のｄは、縁部機械加工後のフロアボード２の最終形状、及び長側部４ａ、４ｂに接合システム７、７’を持つ完成したフロアパネル１を示す。接合システムは、この場合には機械式接合システムである。
【００８０】
図２のａは、高圧積層体の製造を示す。耐磨耗強度が高い透明な材料でできた磨耗層３４をメラミンで含浸し、酸化アルミニウムを加える。メラミンで含浸した紙製装飾層３５をこの層３４の下に置く。フェノールで含浸した紙コアでできた一つ又はそれ以上の強化層３６ａ、３６ｂを装飾層３５の下に置き、パケット全体をプレス内に置き、ここで圧力及び熱の作用で硬化させ、厚さが約０．５ｍｍ乃至０．８ｍｍの高圧積層体でできた表面層３１を形成する。
【００８１】
図２のｃは、表面層３１及びバランス層３２をコア３０に接着し、ボードエレメント３を形成する工程を示す。
【００８２】
図２のｄ及びｅは、直接積層を示す。オーバーレイの形態の磨耗層３４及び装飾紙でできた装飾層３５をコア３０に直接置いた後、これらの三つ全て、及び概して、後バランス層３２をプレスに置き、ここで熱及び圧力の作用でこれらを硬化し、装飾表面層３１を持つ厚さが約０．２ｍｍのボードエレメント３を形成する。
【００８３】
図３のａ乃至ｃは、従来技術の機械式接合システムを示し、本発明者の研究により、水分が接合システムに及ぼす影響を示す。
【００８４】
図３のａでは、フロアパネル１は、直接的に積層した表面層３１、ファイバボードを基材とした材料（ＨＤＦ）でできたコア３０、及びバランス層３２を含む。パネル１及び１’をＤ１方向で係止する垂直方向係止手段は、タング溝９及びタング１０を含む。パネルを表面層３１と平行なＤ２方向で係止する水平方向係止手段は、係止溝１２と協働する係止エレメント８を持つストリップ６を含む。ストリップは、フロアパネルのコア３０を機械加工することによって形成され、及び従って、本発明のこの実施例では、コア３０と一体成形される。破線矢印ＭＰＭは、水分がフロアの表側即ち上側から接合システムに浸透するとき、水分が接合縁部からコア３０にどのように浸透するのかを示す。
【００８５】
図３のｂは、垂直方向係止手段及び水平方向係止手段の両方が、係止溝１２を持つタング溝９及び係止エレメント８を持つタング１０として形成された実施例を示す。破線矢印ＭＰＪは、水分が係止システムの部分を通ってどのように浸透するのかを示す。
【００８６】
図３のｃでは、フロアパネルには、高圧積層体でできた表面層３１、ＨＤＦ製のコア３０、及び高圧積層体でできたバランス層３２が設けられている。この実施例では、更に、垂直方向係止手段は、フロアパネルのコア３０から形成されたタング溝９及びタング１０を含む。水平方向係止手段は、コア３０に機械的に取り付けられたアルミニウム製のストリップ６及び係止エレメント８を含む。
【００８７】
上述の全ての場合において、接合システムはコアと一体化されており、即ち工場で形成され又は取り付けられており、少なくとも接合システムの部分は、常に、フロアパネルのコア３０を切削することにより形成される。係止システムの接合は、傾け、水平方向でスナップ嵌めし、又は上方に傾けた位置でスナップ嵌めすることによって行うことができる。
【００８８】
図４のａ乃至ｃは、従来技術による接合縁部８２、８３の含浸を示す。ここでは、機械加工した接合部に含浸材料２４を側方からスプレー塗布することにより含浸を行う。
【００８９】
理解を促すため、フロアパネルは、全ての図面において、それらの表面層を上に向けた状態で示してある。しかしながら、実際の製造では、フロアパネルは、概して、加工機械内で、及び続いて行われる含浸で、それらの表側（上側）を下に向けて配向される。
【００９０】
従来技術の含浸では、定置のスプレーノズル４０を通してフロアパネルを移動する。材料シール２０を形成するため、含浸材料２４の噴射の縁部が、隣接した上接合縁部１６と関連して表面層３１の直ぐ下にくるように差し向けるのは困難である。
【００９１】
表面を保護する保護プレート４３を使用して適用を行うことができる場合でも、効率的保護を提供するのは困難である。多くの場合、ストリップ６及び係止エレメント８が邪魔であり、含浸材料２４を十分に正確に付けるのが困難であり、隣接した上接合縁部１６のところで表面層３１の直ぐ下の領域に十分に深く浸透させるのが困難である。かくして、含浸深さが変化し、図４のａ乃至ｄで明らかなように、表面層の直ぐ下では浅く、表面層から離れると深くなる。
【００９２】
図５のａ、ｂ、及びｃは、本発明に従って材料シールを形成するための含浸を示す。含浸材料２４をコア表面３３上に帯状領域４４をなして適当な方法で付ける。これは、残りの層、即ち装飾層及び磨耗層を適用する前に行われる。これは、例えばスプレー、ロール掛け、等によって行うことができ、便利には、先ず最初に、後にフロアボードの長側部が形成される領域で長さ方向Ｌで行われる。
【００９３】
適当には、コア３０の長側部４を案内面として使用し、次いで、これを、表面層３１の適用、鋸断、及び機械加工と関連した位置決めを容易にする案内面として使用する。このようにして、材料シールを完成した接合縁部に関して正しく位置決めするのが容易である。
【００９４】
図５のｂは、後にフロアボードの短側部を構成する部分の対応する含浸を示す。この含浸では、コアを長さ方向Ｌに対して垂直な横方向Ｗに移動する。この場合も、コア３０の一方の短側部を、続いて行われる製造で案内面として使用できる。
【００９５】
図５のｃは、フロアパネルの隅部を構成する部分の拡大図である。この部分は、長側部並びに短側部と平行に一杯に含浸される。分割線４５は、ボードエレメントをフロアボードに分割するための長側部及び短側部に沿った鋸断線を示す。
【００９６】
図６のａ、ｂ、及びｃは、含浸がどのように行われてコアにどのように浸透するのか、及び含浸領域が連結手段に対してどのように位置決めされるのかを詳細に示す。これらは図６のａ及びｂに破線で示してある。図６のｃは、ボードエレメントでできた二つのフロアパネルの縁部を示す。これらのフロアパネルは、線４５に沿って鋸断することによって個々のフロアボードに切ってある。
【００９７】
図６のａは、含浸材料が、スプレーノズル４０によって適用されたとき、材料シール２０を形成するためにこの含浸材料がコア表面３３からコア３０内に及びコアの中央部分に向かってどのように浸透するのかを示す。
【００９８】
コア３０内への含浸材料２４の浸透は、真空駆動装置４６によってコアの下側に真空を発生することによって促すことができる。真空駆動装置４６は、例えば、定置の真空テーブル又は移動真空バンドを含む。含浸材料２４の適用中にコア３０が動かない場合には、例えば移動スプレーノズル４０を使用する。
【００９９】
図６のｂは、表面層３１の適用後に含浸材料２４がボードエレメント３のコア３０にどのように位置決めされるのかを示す。含浸材料は、この場合、材料シール２０を構成する。分割線４５は、所期の鋸断を示す。
【０１００】
図６のｃは、機械加工後のフロアパネル１、１’の接合縁部８２、８３を示す。図を簡単にするため、フロアパネルは、一方の側部に沿ってのみ機械式接合部を有する。材料シール２０は、２つの垂直側部及び隅部に沿って正確に位置決めされ、図示の実施例では、上接合縁部分８０、８１に形成される。
【０１０１】
ファイバボードを基材としたコア３０、例えばＨＤＦは、メラミン等のバインダーと混合した砕木ファイバによって製造され、混合後に圧力及び熱でパネルを形成する。別の態様では、含浸材料２４をこの製造と関連してパネルに適用でき、適用は、後にフロアパネルの接合部分を構成する特別の部分で行われる。
【０１０２】
図７のａ乃至ｄは、機械式接合システムの材料シール２０を製造するための様々な製造工程を詳細に示す。
【０１０３】
図７のａによれば、含浸材料２４は、部分８６、８７（破線）で、コアの表面３３から適用される。これらの部分は、完成したフロアパネルにおいて全体に参照番号８６及び８７を付した接合縁部分を構成し、接合システム９、１０を形成する。材料シール２０を形成するように、上接合縁部分８０、８１の大部分を含浸する。
【０１０４】
図７のｂは、表面層３１、バランス層３２、及びコア３０内にあり且つ表面層３１の下にある材料シール２０を含むフロアエレメント３を示す。この図には、更に、所期の鋸断線４５、及び最終的な連結手段の輪郭が破線で示してある。
【０１０５】
図７のｃは、鋸断後のフロアボード２、２’の縁部を示す。鋸断許容差は、接合縁部に最も近い材料シール２０の最終的な位置に影響しない。続いて行われる機械加工では、係止システムの上接合縁部部分８０、８１に材料シール２０を形成するのに追加の機器を必要としない。これは、異なる表面層をコア３０に適用する前にこの材料シールが提供されているためである。
【０１０６】
図７のｄは、材料シール２０が表面層３１の真下にある、機械加工を施した接合部を示す。ＨＰは、パネルの表面層と平行な水平方向平面を示す。フロアパネル１、１’の接合縁部には全体に参照番号８２、８３が付してあり、随意の接合システムが設けられている。図示の実施例では、接合縁部は、内方に傾けてスナップ嵌めすることによって係止できる機械式さねはぎとして形成されている。ＶＰは、表面層に最も近い上接合縁部８０、８１の水平方向平面ＨＰに対して垂直方向に延びる垂直方向平面（接合平面）を示す。Ｔは、フロアパネルの厚さを示す。含浸材料２０の最大量は、磨耗層３１の真下の上接合縁部８０、８１のところにあり、即ち水分の観点で最も重要な領域内にある。含浸中に含浸材料をコア内にコア表面から浸透させることによって、このように含浸材料を磨耗層３１の真下に集中させる。
【０１０７】
上接合縁部分８０、８１は、かくして、材料シール２０が、表面層３１に最も近いコア表面３１に、垂直方向平面即ち接合平面ＶＰとコア表面３３から距離Ｐ２のところにある下平面との間にあるばかりでなく、垂直方向平面ＶＰからこの垂直方向平面ＶＰから距離Ｐ１のところにある平面まで水平方向に全体にあることを特徴とする。かくして、コア表面３３の下のコア３０のこの全容積が含浸され、材料シール２０を形成する。材料シールのこのような位置及び拡がりは、垂直方向平面ＶＰのところにある上接合縁部８４、８５に表面層３１が既に設けられており且つそれらの最終形状に機械加工されている場合に含浸材料２４を上接合縁部８４、８５に適用するか又はスプレーする周知の含浸方法では提供できない。
【０１０８】
含浸材料２４がコア表面３３から浸透するため、含浸材料の濃度はコア表面３３に最も近いところで特に高い。通常、含浸材料の濃度は、図４のａ乃至ｄに概略に示すようにコア表面３３から下に向かって減少する。
【０１０９】
材料シール２０は、特に費用のため、所期の連結手段が形成されるフロアパネル１の一部に限定しなければならず、従って、好ましくはコア表面３３全体を覆ってはならない。
【０１１０】
この方法により、前記システムのかなりの部分で表面層３１の下に材料シール２０を設けることができる。横方向での、即ち接合平面ＶＰに対して横方向での及び水平方向平面ＨＰに沿った材料シールの拡がりに関し、Ｐ１はフロアの厚さＴ１の０．２倍以上であってもよく、フロアの厚さＴの１倍又はそれ以上であってもよい。多くの実施例において、距離Ｐ１は、フロアパネルの連結手段の部分を含む接合縁部分全体が材料シール２０で含浸される程大きくてもよい。
【０１１１】
含浸深さ即ち距離Ｐ２は、便利には、フロアの厚さＴの０．１倍乃至０．３倍であってもよく、多くの場合において、含浸深さは、少なくとも連結手段の上部分が含浸コア材料でできているような深さであるのが好ましい。
【０１１２】
本発明によれば、接合システムは、材料シール２０がコア表面３３に垂直方向平面ＶＰのところにＶＰから距離Ｐ１のところに配置されており、この領域でのシール特性が本質的に等しいか或いは均質である、即ちコア表面３３が、コア材料３０の単位容積当たり本質的に同じ量の含浸材料２４でコーティングされていることを特徴とする。これは、適用が垂直方向平面ＶＰから行われる、従来技術と比較して大きく異なる。従来技術の場合、含浸材料の濃度は、図４のａ乃至ｄに示すように、垂直方向平面ＶＰのところの接合縁部から内方に表面層３１と平行な距離Ｐ１のところにある平面まで減少する。この場合、水平方向平面での含浸深さは、コア表面３３に近づくほど小さく、そこから離れる程大きい。
【０１１３】
図８のａ乃至ｅは、本発明の別の実施例を例示する。この実施例では、例えばタング１０の上内部分が後に形成される領域で溝４１をコア表面３３に形成する。形成後に溝４１にシール材料５０を適用する。このシール材料には、適用後に固体形態をとり、防水性となり、弾性変形可能であり、切削により成形できるという特性がある。
【０１１４】
図８のｂに示すように、溝４１が設けられており且つシール材料５０が施与されたコア３０を表面層３１でコーティングし、好ましくはバランス層３２を設け、フロアエレメントを形成する。このフロアエレメント３を線４５に沿って鋸断してフロアボードにし、機械加工により、接合システムを備えたフロアパネル１、１’を形成する。これらのフロアパネルを図８のｃ乃至ｅに示す。この特定の実施例によるフロアパネルの接合を以下に更に詳細に説明する。
【０１１５】
上述のように溝４１は、表面層３１、３２がコア３０に結合されたフロアエレメント又はフロアボードに形成できる。このことは、溝４１を表面層３１、３２の両方及びコア３０に形成できるということを意味する。この溝４１は、含浸してもよいしシール材料５０を設けてもよい。この方法は、標準的フロアエレメントを使用でき、コア３０への表面層３１、３２の接着又は積層と関連して使用するのが困難な含浸材料を適用できるという利点を提供する。
【０１１６】
シール材料５０は、好ましくは、弾性変形可能な合成材料の成形に特に適した工具によって切削することによって接合シール５５に形成できる。
【０１１７】
上述のように、使用可能な多くのシール材料が市販されている。非限定的例として、以下の特性を持つ材料を使用できる。
【０１１８】
押出しにより溝４１にコンパウンドとして適用できる性質を持ち、コア材料に付着でき（随意であるがプライマー層を適用した後）、良好な耐熱性を有し、防水性であり、洗剤に耐え、適用後に硬化又は乾燥により固体に、弾性変形可能な形態に変わる、アクリルプラスチックを基材としたシーリングコンパウンド、合成ゴム製のエラストマー、シリコンゴム等を使用できる。材料の特性は、十分に弾性変形可能であると同時に、好ましくは、切削工具によって合理的に機械加工できるように最適化されなければならない。
【０１１９】
加熱して押出すことによって適用されたポリウレタンを基材とした様々な種類のホットメルト接着剤を使用して接合部シールを形成できる。このような材料は、凝固すると弾性変形可能な固体の形態に変わる。これらの材料は、後に、切削によって、又は加熱したロール又は適当な形態のドラッグ工具を使用し、シール材料５０に沿ってこの材料を接触した状態で移動させて材料を適当な形状に形成することによって形成できる。
【０１２０】
切削による大まかな機械加工及び高温スクレープ工具又はロール掛け工具による最終成形の組み合わせもまた可能であり、二段階で適用される。最初の適用は、コアに浸透する高度に液状の材料を用いて実施され、続く第２の適用は、粘度が高く材料に対する付着性が良好な材料を用いて実施される。接合シール材料のフロアパネルに対する付着を改良するため、種類が異なるプライマーシステムを使用することもできる。
【０１２１】
機能及び費用を最適にする目的のため、両接合縁部で、及び長側部及び短側部の夫々で様々な材料、適用方法、及び形成方法を使用できる。
【０１２２】
図８のｃは、機械加工した接合縁部を示し、この縁部には、機械式係止システム９、１０、６、８、１２及び弾性変形可能な接合シール５５が設けられている。この図から明らかなように、接合シール５５はフロアパネルの敷設と関連して圧縮される。この実施例では、内方に傾け、係止エレメント８が係止溝１２と既に初期係合状態にあるとき、及びタング１０がタング溝９と既に係合しているとき、圧縮及び変形を開始する。かくして、圧縮し続けるとき、機械式係止システムの垂直方向係止機能及び水平方向係止機能の両方が作用する。その結果、極めて小さな量の力を加えることによって、圧縮を敷設と関連して生じ、従って、圧縮が必要とされるために敷設が困難になることがない。
【０１２３】
図８のｄは、二つのフロアパネル１、１’がスナップ嵌めによってどのように接合されるのかを示す。ここでは、タング溝９とタング１０との間の相互作用によって、上文中に説明したのと同様の方法で接合シール５５を圧縮でき、接合平面に沿った横方向変位が容易であり、接合シールの圧縮時に可撓性ストリップ６、係止エレメント８、及び係止溝１２が協働し、及び従って、接合シールをスナップ嵌めと関連して圧縮する。
【０１２４】
係止エレメント８の案内部分１１が係止溝１２の案内部分１３と係合したときに圧縮を開始できるように接合シール５５が形成されているのが有利である。この係合は、係止エレメントの案内部分１１が係止エレメントの上部分の丸味を帯びた部分又は面取り部分として形成されている場合に容易になる。更に、案内並びに圧縮は、接合縁部に最も近い係止溝１２の下部分に対応する丸味を帯びた案内部分１３が形成されている場合に容易になる。
【０１２５】
敷設と関連し、接合シール５５がこれと向き合った接合システムの協働接合表面５６に対して押圧される。図８のａ乃至ｅに示す実施例では、この接合表面５６は、パネルの水平方向平面ＨＰに対して４５°の傾斜を有する。これを図８のｅに示す。従って、接合シール５５によって加えられた圧力は、接合システムの垂直方向係止手段９、１０、及び水平方向係止手段６、８、１２に均等に分配される。これは、敷設と関連した圧力及び係止位置での圧力の両方を減少するのが望ましいため、有利である。係止位置で過度の圧力が横方向に及ぼされると、フロアパネルを分離し、隣接した上接合縁部１６のところに望ましからぬ接合隙間が形成されることとなる。係止位置で過度の垂直方向圧力が及ぼされると、タング溝９の上部分の接合縁部分８０が持ち上がってしまう。
【０１２６】
図９のａ乃至ｄは、材料シール２０及び接合シール５５を組み合わせて防水性係止システムを形成する方法を示す。この場合、含浸後にコア３０の上側に溝４１を形成し、材料シール２０を形成する。
【０１２７】
この実施例では、タング溝側９及びタング側１０にシール材料５０ａ、５０ｂを設ける。この実施例は、更に、含浸材料２４がバインダーとして役立ち、コア３０の強度を増大することを特徴とする。この実施例（図９のａ参照）では、含浸材料２４がコア３０の幾つかの領域に適用してある。これらの領域は材料シール２０を構成し、更に、上接合縁部８０、８１の材料強化体を構成する。含浸は、更に、ストリップ６が取り付けられる部分に縁部強化体２１ａ、２１ｂを形成し、係止溝１２が係止エレメント８と協働する係止溝１２と隣接したコア３０に領域２１ｃを形成する。
【０１２８】
図９のｂは、シール材料５０ａ、５０ｂを溝４１に適用する方法を示す。コア３０に表面層３１及びバランス層３２を設けた後（図９のｃ参照）、接合縁部及びシール材料５０ａ、５０ｂを形成し、接合シール５５ａ、５５ｂを形成する（図９のｄ参照）。図８のｂと関連して上文中に言及したように、表面層３１、３２の両方及びコア３０に形成した溝にシール材料を設けることができる。
【０１２９】
ストリップ６を形成してコア３０に様々な方法で〔例えば、欧州特許第ＥＰ１０６１２０１号（ベーリンゲアルミニウムＡＢ）又は国際特許第ＷＯ９８２４９９５号（ベーリンゲアルミニウムＡＢ）を参照されたい〕固定できる。その結果、フロアパネル１、１’を垂直方向及び水平方向で互いに係止するための機械式係止システムは、タング１０及びタング溝９、接合シール５５ａ及び５５ｂ、材料シール２０、係止エレメント８を備えたストリップ６、このストリップ６用の縁部強化固定部分２１ａ、２１ｂ、及び係止溝１２の縁部強化係止面１４を含む。
【０１３０】
この実施例によるフロアパネル１、１’は上接合縁部８０、８１を有し、これらの接合縁部は、垂直方向平面ＶＰに、表面層３１の真下に強化材料シール２０を有し、この材料シール２０と関連して接合シール５５ａ、５５ｂを有する。材料シール２０及び接合シール５５ａ、５５ｂは、防水性表面層３１とともに、水分がコア３０内に侵入しないようにし、水分が接合システムを通過しないようにする。これにより、防水性フロアが形成される。上述のように、垂直方向係止手段９、１０、及び水平方向係止手段６、８、１２は、フロアの寿命中に、係止手段を変形させることなく、弾性変形可能な接合シール５５ａ、５５ｂを圧縮され且つ弾性変形した状態に保持できるように設計されていなければならない。タング溝９が水平方向で深過ぎず、タング溝の上部分即ちリップ１５が持ち上がらないように剛性であることが特に重要である。更に、係止エレメント８及びストリップ６は、上接合縁部分８１、８２と隣接して目に見える接合隙間が形成されるとき、フロアパネル１、１’を分離することなく、接合シール５５ａ、５５ｂによって加えられる圧力に耐えることができるように設計されていなければならない。シール材料５０ａ、５０ｂは、フロアの全寿命中に圧力を及ぼし、水分が接合システムを通って移動しないように選択されなければならない。
【０１３１】
図９のｄから明らかなように、コア３０は、含浸されており、ストリップ６が固定され、係止エレメント８が係止溝１２と係止する領域２１ａ、２１ｂ、及び２１ｃが強化してある。これにより、比較的安価なコア材料３０を使用できる。こうしたコア材料は、低品質であり、含浸により、重要な領域の強度が高めてある。このようにして、高い品質を低価格と組み合わせることができる。
【０１３２】
この防水性係止システムには複数の変形例が考えられる。接合シール５５ａ、５５ｂは、接合システムに随意に配置できるが、これらの接合シールは、表面層３１に近い表面から見えないように配置されるのが有利である。接合シールは、タング溝９又はタング側１０に随意に配置できるが、これらは、図示の実施例におけるのと同様に、向き合った接合部分に設けることができる。勿論、幾つかの接合シール５５を各接合部分に互いの上方に及び側方に配置できる。更に、接合システムの接合シール５５と向き合った部分との間の接触表面は、随意の方法で、例えば歯を備えた形状、三角形形状、半円形形状、等の幾何学的形状を持つように設計できる。基本的には、弾性合成材料又はゴムでできたシールストリップの設計で通常使用される全ての形態を使用できる。
【０１３３】
図６のｂによる実施例と関連して説明した真空技術を使用し、表面層３１からバランス層３２まで接合システム全体に亘って材料シール及び縁部強化体２０を設けることができる。これにより接合部の強度及び水分に対する保護を高めることができ、機械加工したストリップの可撓性を高めることができ、機械加工により更に平滑な表面が得られ、係止位置で一方のフロアパネルを他方のフロアパネルに対して移動するときの摩擦力を減少できる。木材繊維を、含浸材料とともに、これらを接合シールに合わせて形成できる性質を持つように、木部繊維をプラスチック材料で含浸することもできる。
【０１３４】
上文中に説明したようにシール材料５０ａ、５０ｂ及び／又は２０を、連結部分の形成前にフロアエレメント３に又はフロアボード２に形成できる溝に、交互に配置してもよい。この場合、溝４１をコア３０及び表面層３１の両方に形成できる。
【０１３５】
シール材料５０ａ、５０ｂは、接合システム全体又はその部分の製造時にフロアボード２又はフロアパネル１の縁部に配置することもでき、接合シール５５ａ、５５ｂの最終成形は、フロアパネル１が既にその最終形状を得ている場合に別の製造工程で行うこともできる。弾性変形可能な接合シール５５ａ、５５ｂ間の圧力表面の角度を変化させることによって、圧縮圧力の方向及び分布を完全に水平方向と完全に垂直方向との間で調節できる。圧力表面が垂直でなく水平方向平面ＨＰに関して傾斜しているのが有利である。これにより、圧力が垂直方向成分及び水平方向成分で分配され、材料の組み合わせによって、剛性上タング溝部分１５及び強固な水平方向接合部６、８、１２を形成できることと関連して圧力の分布が最適になる。
【０１３６】
図１０のａ乃至ｃは、内方に傾けるのと関連して圧縮がどのように行われるのかを詳細に示す。接合シール５５の作用部分５４は凸状外部分をなして形成されており、この部分は、係止溝１２が係止エレメント８と係合したときに圧縮を開始する。このような位置を図１０のｂに示す。最終的に下方に傾けて係止する工程に関し、接合シールが、向き合った協働接合表面５６に対し、最終的に圧縮される。接合表面５６は、接合システムの形成後に例えばワックス又は他の同様の材料でコーティングされていてもよい。これにより、係止位置で接合縁部に沿った変位が容易になり、材料シール及び接合シールの機能の向上に寄与する。
【０１３７】
図１０のｃから明らかなように、接合システムは一つ又はそれ以上の膨張空間５３ａ、５３ｂを含むのがよい。これらの空間で、接合シール５５が、互いにプレスされたとき、膨潤できる。接合シール５５は、かくして、或る程度過大に形成されているのがよく、接合システムに適当な膨張空間５３ａ、５３ｂが形成されている場合、接合シール５５を低い許容差必要条件で形成でき、機能が維持される。
【０１３８】
上接合縁部の材料シール２０は、この実施例では、コア表面３３からかなりの深さに亘って形成できる。このことは、接合シール５５の上部分からコア表面３３までの全領域が防水性であるということを意味する。この実施例では、例えば溝９とコア表面３３との間の接合縁部分の大部分が材料シール２０を形成する。
【０１３９】
図１１のａ乃至ｃは、本発明の別の実施例を示す。図１１のａは、本発明による実施例を示し、この実施例では、接合シール５５は、縁部の持ち上がり及び接合縁部の分離を最小にするように形成されている。接合シール５５と向き合った協働接合面５６との接触面は、パネルの平面に対して小さな角度をなしている。このことは、圧縮力の大部分が矢印Ａの方向で本質的に垂直方向に差し向けられるということを意味する。しかしながら、タングの上の接合縁部は剛性であり、縁部が持ち上がる危険が小さい。
【０１４０】
図１１のｂの実施例では、弾性変形可能な接合シール５５ａ、５５ｂが表面層３１の真下に配置されており、かくしてこれらの表面層が接合シールを覆っている。シール５５ａ、５５ｂの上部分はコア３１内への水分の浸透を防ぐ材料シールを構成できるのに対し、シール５５ａ、５５ｂの下部分は実際の接合シールを構成できる。更に、シール５８ａ、５８ｂが、コアに最も近い表面層３１、３２の部分を覆っていてもよい。
【０１４１】
図１１のｃによる実施例は、材料シールを構成する別の材料５８ａ、５８ｂが弾性変形可能な接合シール５５ａ、５５ｂの上に配置されていることを特徴とする。これらの別の材料５８ａ、５８ｂは、表面層３１による装飾の目的で使用することもできる。例えば、面取り部分６０である。そのため、これらの別の材料５８ａ、５８ｂが継ぎ目のところで見える。このような装飾材料は、フロアパネルの縁部の最終的な機械加工前にフロアボードのコア３０に及び表面層３１、３２に形成された溝に適用することもできる。
【０１４２】
接着剤がタング溝とタング１０との間に適用された場合の、機械式接合システムなしでのシール機能の原理を説明する。
【０１４３】
図１１のｄは、フロアパネルの一方の縁部に材料シール２０が設けられ、他方の縁部に接合シール５５ａが設けられた実施例を示す。接合シールは、表面層３１の下部分を覆う。図１１のｆ及びｇは、フロアボードに形成された溝４１ａ及び４１ｂにシール材料５５ａ及び２０を適用する方法を示す。この方法の利点は、主として、シール材料を非常に正確に適用できるということである。更に、表面上に適用されることが回避され、かなりの量の含浸材料を適用でき、フロアボードの位置決めに１０ａ等の基準面を使用できる第２機械加工作業で係止システムをその最終的な形状に非常に正確に形成できる。材料シール及び接合シールの適用は幾つかの方法で組み合わせることができるということは明らかである。例えば両側に材料シール及び接合シールを設けることができ、又は接合シール又は材料シールだけを設けることができる。この実施例では、大量の含浸材料２０が磨耗層３１の真下の上接合縁部分に、即ち水分の観点で最も重要な領域内に適用される。磨耗層３１の真下の含浸材料のこの濃度は、含浸中に表面に最も近い溝４１ｂから含浸材料をコアに浸透させることによって得られる。最終縁部に最も近い表面に保護が施されていないことが必要である。これは、表面が表面層の残りの部分３１ａによって保護されているためであり、大量の含浸材料を適用できるためである。表面に最も近いコア部分は、約１ｍｍ又はそれ以上の水平方向深さまで含浸でき、実質的にフロアパネルの全縁部に亘ってこの深さで含浸できる。磨耗層３１の下の含浸材料２０の垂直方向濃度は、接合表面のところで、コアにおけるよりも高い。当然のことながら、フロアパネルの上面３３を参照して説明した以上の手順は、フロアパネルの下面にも適用できる。
【０１４４】
図１２ａは、機能が異なる三つの異なる表面層でコア３０をコーティングした、本発明による実施例を示す。フロアパネル１、１’の表面は、透明で硬質の丈夫なプラスチック材料製磨耗層３４、プラスチックフィルム製の中間装飾層３５、及び弾性材料製の強化層３６を含む。これは防水性であり且つ吸音性である。プラスチックフィルム製装飾層３５を、透明な磨耗層３４の下側又は弾性強化層３６の上側に直接印刷した装飾パターンに代えてもよい。この実施例はシールなしで製造することもでき、その場合、木材を基材としたＨＤＦ／ＭＤＦ等のコア、弾性表面、及びフロアパネルを長側部及び短側部で傾けること及び／又はスナップ嵌めにより水平方向及び垂直方向で係止するための機械式係止システムを持つフローティングフロアパネルを形成できる。シールは、この実施例では、フロアボードのコア及び表面層に形成された溝に適用することもできる。
【０１４５】
接合シール５５ａは、凸状膨出部の形態の作用部分５４をタング側に有し、この作用部分は向き合った弾性協働接合面５６に押し付けられる。接合シール５５ａの作用部分５４は小さく、これは、フロアパネルの短側部をスナップ作用で係止しようとする場合の横方向変位と関連した摩擦を減少するのに役立つ。更に、摩擦は、様々な種類の摩擦減少剤でコーティングした接合シール５５ａ、５５ｂによっても減少できる。
【０１４６】
図１２のｂは、図１２のａに示すのと同じ表面層３１を備えているが、接合シール５５ａ、５５ｂが、コア３０に最も近い弾性変形可能な強化層３６に形成された実施例を示す。磨耗層３４が強化層３６よりも硬質である場合には、一方では、接合シール５５ｂの変形が、本質的には、コア３０に最も近い接合シールの下部分５７で起こり、他方では、磨耗層３４の大きな変形が起こらない。これにより、防水性であり且つ吸音性のフロアが形成される。更に、この実施例では、材料シール及び接合シールの形態のシール手段は、上文中に説明したように多くの様々な方法で設計できる。
【０１４７】
図６乃至図１２による上文中に説明した実施例を組み合わせることができるということは明らかである。例えば、図１２のａ及びｂ又は図１０のａ及びｂによるシール手段を同じ接合システムに配置できる。ストリップ６は、アルミニウム等で形成できる。
【０１４８】
図１３は、長側部４ａ、４ｂ及び短側部５ａ、５ｂに機械式接合システムが設けられ、接合シール５５ａ及び５５ｂが一方の短側部５ａ及び一方の長側部４ｂに設けられたフロアパネル１を示す。フロアパネル１を他の同様のフロアパネル１’に両長側部４ａ、４ｂ及び両短側部５ａ、５ｂで連結してフロアを形成するとき、全ての側部に接合シールがある。
【０１４９】
上文中に説明した実施例による材料シール２０が接合縁部に設けられているとき、フロアパネルの接合システムは、全ての側部４ａ、４ｂ、５ａ、５ｂ及び全ての隅部３８ａ、３８ｂ、３８ｃ、３８ｄで接合システムに水分が浸透しないようにする。
【０１５０】
長側部及び短側部を線型に機械加工することにより、隅部３８ａ、３８ｂ、３８ｃ、３８ｄをフロアパネル１の側部４ａ、４ｂ、５ａ、５ｂと同じ狭い許容差で設計できる。隅部３８ａ、３８ｂ、３８ｃ、３８ｄの接合シールはぴったりと嵌まり、フロアパネルの接合時に接合シール５５ａ、５５ｂを変形できる場合には、短側部５ａ、５ｂ間及び長側部４ａ、４ｂ間の角度的なずれ並びに長側部４ａ、４ｂ間の平行性からのずれがある場合にはこれを補償でき、これらの製造許容差を越える。
【０１５１】
図１４のａは、木製フロアの一方の長側部に沿った従来設計のフロアパネル１、１’の接合部の横断面図である。フロアパネル１、１’は、主繊維方向が長側部と平行な木製の表面層３１、及び繊維方向が異なり、本質的に長側部に対して垂直なコア３０を有する。フロアパネル１、１’の長さ方向側縁部は、機械式接合システム９、１０、６、８、１２を有する。水分の多い環境では、上接合縁部８０、８１が繊維の方向に対して横方向（即ち隣接したフロアパネル１、１’間の接合部に対して横方向）にコア３０よりも大きく膨潤する。このことは、フロアパネル１、１’が長側部に沿って押し離され、ストリップ６が後方に曲がるということを意味する。これには、上接合縁部８０、８１又は協働係止面１４、１８が圧縮され、又は損傷する危険がある。フロアパネル１、１’が冬期（相対湿度が低下する）に乾燥し収縮すると、接合隙間が上接合縁部８０、８１間で持ち上がる。
【０１５２】
図１４のｂ乃至ｅは、上接合縁部８０、８１の膨潤及び収縮の作用に抗するために水平方向係止手段６、８に挿入された弾性補償シール５２を本発明に従って使用することによって、接合隙間が持ち上がるというこの危険をどのように補償できるのかを示す。
【０１５３】
図１４のｂは、本発明による補償シールを持つ接合システムを形成するのに適したフロアボード２’の一実施例を示す。接合システムの輪郭線を図１４のｂに破線で示す。表面層３１、コア３０、及びバランス層３２は、接合縁部の機械加工時の廃棄物を最小にするため、タング溝９及びタング側１０の両方で横方向にずらしてある。フロアボード２の下側には溝４０がコア３０に形成されている。弾性材料５１が溝４１に配置されており、従来説明された方法に従って例えば押出し等によって、又は別の態様では接着又は材料を溝に押し込むといった機械式固定によって溝に固定される。
【０１５４】
続いて行われる機械加工では、弾性材料５１を除去し又は部分的に再成形し、係止溝１２に作用係止面を構成する水平方向Ｄ２で作用する弾性補償シール５２に形成する。これを図１４のｃに示す。
【０１５５】
接合縁部分８０、８１が膨潤するとき、弾性補償シール５２は、その係止面１４が係止エレメント８の係止面１８に押し付けられることによって圧縮される。その結果、機械式係止システムは、冬期にフロアが乾燥して収縮するとき、接合システムが損傷されたり目に見える接合隙間が現れたりすることなく、水分による上接合縁部８０、８１の大きな移動を補償できる。
【０１５６】
表面層３１の厚さＷＴがかなり大きい場合及びこの厚さが例えばフロアの厚さＴの０．１倍以上である場合、上接合縁部の膨潤の問題点が大きくなる。
【０１５７】
上述の実施例による接合システムは、床暖房で、及び年間の相対湿度の変化が大きい環境で使用するのに特に適している。弾性係止手段即ち補償シール５２は、随意であるが、係止エレメント８（図１４のｄ参照）に、又は係止溝１２（図１４のｃ及びｅ参照）に、又はこれらの部分の両方に配置でき、内方への傾け及び変位を容易にできる様々な角度及び半径を持つ多くの様々な形状で形成できる。弾性係止手段即ち補償シール５２は、更に、本発明の上述の実施例による材料シール２０及び接合シール５５と組み合わせることができる。
【０１５８】
図１４のｄは、弾性係止手段又は補償シール５２が水分に対してシールする接合シールとしても役立つ実施例を示す。この場合、シール５２は、圧縮されたとき、上接合縁部８０、８１の膨潤及び収縮により生じる移動を吸収する。かくして、フロアパネルが水分のある環境に置かれた場合の弾性シール５２の圧縮性及びかくしてシール性が向上する。この場合、材料シール２０が設けられている。しかしながら、この材料シール２０は、この図に特定的に示されていないが、下方に即ち連結手段の上部分まで、例えば図７のｄに示すように延びている。
【０１５９】
図１４のｅは、弾性補償シール５２が、コア３０以外の材料でできた係止エレメント８によって圧縮される実施例を示す。この実施例では、ストリップ６及び係止エレメント８は、アルミニウム又は何らかの他の便利な金属で形成できる。この構造は、ストリップ６がフロアパネルのコアと一体成形された場合よりも大きな可撓性を有する。更に、この実施例でも本発明を使用できる。この実施例の利点の一つは、係止位置での横方向変位中の摩擦が低いということである。
【０１６０】
図１５のａ乃至ｅは、タング１０の上−内部分と隣接して工具７０を使用して形成されたコア３０の溝４１内に接合シール５５が配置された、接合システムの一実施例を示す。
【０１６１】
図１５のａ及びｂは、例えば、コア３０又はボードエレメントに溝４１を形成する場合のフロアパネル１’の垂直方向平面ＶＰに対する工具７０の位置の臨界許容差を示す。工具７０の最内位置は、平面ＴＰ１によって画成される。図１５のｂは、垂直方向平面ＶＰの外側の平面ＴＰ２によって画成された工具７０の外位置を示す。これらの二つの図から明らかなように、向き合った協働接合部分５６と接触するための接合シール５５の接触面を非常に正確に形成できるが、垂直方向平面ＶＰに置かれる接合縁部に対する溝４１の水平方向位置に対する製造許容差ＴＰ１−ＴＰ２が非常に大きく、フロアの厚さＴの０．２倍を越える。最新の製造機器を使用することによって、表面層３１及びボードエレメント３の製造からフロアパネル１’の完成までの全製造工程におけるこれらの許容差の水平方向横方向位置を管理できる。工具７０を垂直方向に位置決めすることはあまり重要ではない。これは、許容差が、主として、材料の厚さの許容差で決まるためであり、これらが、概して、横方向位置決めと関連した許容差に対して小さいためである。
【０１６２】
この実施例では、コア表面３３又は表面層３１の表面を基準面として使用することもできる。従って、溝４１及び後に接合シール５５に形成されるシール材料５０を大きな精度で垂直方向で位置決めできる。従って、接合システムの作用接触面及び接合シール５５をフロアの厚さＴの０．０１倍以下の非常に狭い製造許容差で形成できるが、シール材料５０の元の位置にはかなり低い許容差必要条件で影響が及ぼされる。
【０１６３】
このような実施例は、接合シールの作用部分５４と隣接した上接合縁部１６との間の製造許容差が、接合シールの作用部分以外の部分と上述の隣接した上接合縁部１６との間の許容差よりもかなり小さいことを特徴とする。これにより、合理的製造が容易になり、高品質の製造が可能になる。
【０１６４】
フロアボードのコア及び表面層３１、３２に溝が形成されている場合には、タング１０の外部分を同じ機械加工工程で形成でき、タングのこの部分又はフロアボードの他の部分を、係止システム及びシール５５を形成する場合に基準面として使用できる。この場合、垂直方向許容差及び水平方向許容差を０．０１ｍｍ程度に減少できる。
【０１６５】
図１５のｃは、接合シールの両側に膨張空間５３ａ及び５３ｂが設けられた圧縮状態の接合シール５５を示す。
【０１６６】
図１５のｄは、表面層３１が積層体でできている場合にこの表面層の機械加工を容易にする、接合シール５５の形成方法を示す。水平方向に、即ち矢印Ｒに従って垂直方向平面ＶＰに対して垂直に作動するダイヤモンド切削工具７１を使用して接合縁部８０を機械加工する場合、酸化アルミニウムを含む積層体磨耗層３５に作用するダイヤモンド切削工具の箇所７２で大きな磨耗が生じる。ダイヤモンド切削工具の作用面の大部分を使用するため、工具をその開始位置７１から、例えば工程毎にタング１０の方向に下方に移動する。工具の開始位置を位置７１で示し、その終端位置を位置７１’で示す。接合シール５５がタング１０の上−内部分と隣接して図示の溝４１内に配置されている場合、及びその上境界ＵＰが表面層３１の表面から例えばフロアの厚さＴの０．２倍以上の距離ＳＤのところに配置されている場合には、表面層３１と隣接しており且つその下にある接合縁部の機械加工が容易になるように設計された接合シール５５を提供できる。表面層３１から所定距離のところにある接合シール５５のこの形態及び位置により、工具７３（図１５のｅ参照）を使用してタング１０を簡単に機械加工し、反対側の接合縁部に設けられた向き合った協働接合部分５６によって、係止システムを形成できる。この係止システムは、係止システムのスナップ嵌め及び／又は内方への傾けを容易にするような半径及び角度を備えている。
【０１６７】
図１６のａ乃至ｅは、複数の水平方向係止手段を持つ係止システムを示す。これらの係止システムは、防水性係止システムと関連して使用できるが、大きな水平方向強度を持つ係止システムを提供するため、通常の機械式係止システムと同様に使用することもできる。基本的原理は、内方に傾けることによって、又はスナップ嵌めによって、及びストリップ６を使用して接合された係止システムで使用できる。これらのストリップは、随意であるが、コア３０と随意に一体成形されるか或いは、アルミニウム等の別の材料で形成し、コアに固定される。
【０１６８】
システムの様々な組み合わせを長側部及び短側部で使用できる。係止エレメント８ａ、８ｂ、８ｃ及び係止溝１２ａ、１２ｂ、１２ｃは、例えば木材、ファイバボードを基材とした材料、プラスチック材料等、コアから機械加工された又は別の材料を含むストリップを持つパネル材料等で様々な角度及び半径に形成でき、係止エレメントは、フロアパネルを傾けることやスナップ嵌めによって設置するように設計できる。
【０１６９】
図１６のａによる係止システムは、二つのストリップ６ａ及び６ｂ、二つの係止エレメント８ａ、８ｂ、及び二つの係止溝１２ａ、１２ｂを含む。係止エレメント８ａ及び係止溝１２ａにより、大きな強度で係止できると同時に、例えば内方に傾けるのと関連して良好に案内できる。係止エレメント８ｂにより、特に強度が大きくなり、水平方向係止力を大幅に増大できる。係止エレメントは、水平方向張力が非常に大きいために上接合縁部が離れるように移動し始めるとき、例えば０．０５ｍｍ乃至０．１０ｍｍの接合隙間が生じたときに作用するように設計できる。
【０１７０】
図１６のｂは、これらの基本的原理に従って形成できる係止エレメント８ａ、８ｂ、８ｃ及び係止溝１２ａ、１２ｂ、１２ｃを含む三つの水平方向係止手段を持つ係止システムを示す。この実施例は、案内性が良好な係止手段８ａ、１２ａ、及び二つの係止手段８ｂ、１２ｂ及び８ｃ、１２ｃを含み、これらの案内手段は、水平方向張力負荷と関連して接合システムの強度を高めるのに役立つ。この接合システムは、接合シール５５の圧縮中に接合縁部を互いに保持することができる。幾つかの係止エレメントを、この方法に従って、タング１０の上下の部分及びストリップ６に形成でき、これらは、内方への傾け、スナップ嵌め、及び案内を容易にするように、及び強度を高めるように調節できる。
【０１７１】
図１６のｃは、例えば接合システムの分離を制限するのに別々の係止手段８ｂ、１２ｂ及び／又は８ｃ、１２ｃを使用できることを示し、この場合、係止溝１２ａの部分に弾性係止手段５２が設けられている。
【０１７２】
図１６のａ及びｂによる係止システムは、主としてスナップ嵌めするようになっているが、係止システムの角度及び半径を僅かに変化させることによって、傾けるのが容易であるように調節できる。
【０１７３】
図１６のｄは、例えば内方に傾けることによって設置できる長側部について便利な二つの水平方向係止手段８ａ、１２ａ及び８ｂ、１２ｂを持つ係止システムを示す。
【０１７４】
図１６のｅは、例えばスナップ嵌めによって設置できる短側部用の係止システムを示す。図１６のｅによる係止システムは、図１６のｆによる係止システムとは、とりわけ、係止エレメントが小さく、表面層に対する傾きが大きく、ストリップ６ａが長く且つ更に可撓性であり、タング溝９が深く、上係止エレメント８ｂが表面層に対して更に大きく傾斜した係止面を有するという点で異なる。
【０１７５】
係止システム１２ｂ及び１２ｃは、工具によって、進んだ形態を持つように形成できる。工具は、必ずしも回転工具でなくてもよい。図１６のｆは、図１６のｂによる接合システムのアンダーカット溝１２ｃの製造を示す。パネルには、従来の金属加工技術に従って、定置の溝切り工具７４を通すことができる。この溝切り工具は、この実施例では、表面層３１に対して垂直方向に作用する歯７５を有する。フロアパネル１を矢印Ｂの方向に移動するとき、フロアパネルは、タング溝９に挿入した溝切り工具７４を通過し、この工具の歯がアンダーカット溝１２の最終成形を行い、その係止面を形成する。タング溝９の大部分は、溝切り工具７４の作動位置にパネルが来る前に大型の回転式ダイヤモンド切削工具を使用して従来の方法で形成される。このようにして、本質的に全ての幾何学的形状をプラスチック又はアルミニウム製の形材におけるのと同様に形成できる。この技術は、シール材料が配置されたコアに溝４１を形成するのにも使用できる。
【０１７６】
図１７のａ乃至ｄは、図１３で上文中に例示したフロアパネルの隅部３８ａの拡大図を示し、三つのフロアパネル１、１’、１’’の接合を示す。正確には、隅部は、防水性フロアの重要部分の一つを構成する。水分が隅部を通って接合システムに侵入しないようにするため、図１７のａによれば、接合シール５５ａ、５５ｂが少なくとも一つの隅部３８ａで途切れていないのが非常に有利である。更に、フロアパネル１’の隅部３８ｄの接合シールを、接合システムの様々な部分、特にタング溝９の機械加工と関連してその作用部分５４が完全には除去されないように位置決めし形成しなければならない。
【０１７７】
図１７のｃ及びｄは、図１７のｂのＣ１−Ｃ２線に沿った接合システムの断面図を示す。即ちパネル１’の短側部及び隅部３８ａを端面図で示す。これに対し、パネル１はＣ１−Ｃ２線に沿った断面で示す。この実施例では、接合シールの作用部分５４は、パネル１’では、タング溝９ｂの上リップの外端のところで無傷である。これは、表面層３１と、この場合にアンダーカット溝９ｂであるタング溝の上部分との間に位置決めされた平面ＳＡに作用部分５４が配置されるためである。接合シールの作用部分５４は、かくして、この平面において、第３フロアパネル１’’の向き合った協働接合面５６と接触する。
【０１７８】
この実施例により、隅部３８ａは、シール材料５５ａが一つ又はそれ以上の平面に位置決めされ、接合シール５５ａが途切れない領域ＳＡを有する。かくして、水分が表面から浸透して接合システムに拡がる場所に隙間や中空部がない。かくして、この実施例は、フロアパネルの二つの隅部３８ｂ、３８ｄのところで接合シール５５ａ、５５ｂが、途切れることなく、向き合った協働接合面と接触することを特徴とする。接合シール５５の作用部分５４は、かくして、一方の長側部全体及び一方の短側部全体に沿って、並びにこれらの長側部と短側部との間の隅部で連続している。
【０１７９】
従って、ファイバボードコア３０、このコアの上側５３に適用した、少なくとも一つの層でできた表面層３１を持つ、フロアパネル１、１’の二つの隣接した縁部４ａ、４ｂ；５ａ、５ｂ間に接合部を形成するためのシステムを説明した。フロアパネルは、これらのフロアパネルを垂直方向Ｄ１で互いに接合するための連結手段９、１０をそれらの隣接した接合縁部８２、８３に備えており、前記フロアパネル１、１’の隣接した上接合縁部１６は垂直方向平面ＶＰで出会う。このシステムでは、フロアパネル１、１’の隣接した接合縁部８０、８１は、水分が接合縁部８２、８３からフロアパネルのコア３０に浸透しないようにする材料シール２０を有し、前記材料シール２０は、水分シール剤及び／又は水分による膨潤が起こらないようにするか或いは大幅に減少する薬剤により、前記接合縁部内のコア３０を、このコア３０の上側３３から連結手段９、１０に向かって下方に所定距離のところまで含浸することによって形成されている。
【０１８０】
このシステムでは、接合縁部分の水分シール剤の濃度は、コア表面３３のところで、そこから所定距離のところよりも高くてもよい。
【０１８１】
このシステムでは、コア３０の含浸は、フロアパネルの厚さＴの少なくとも０．１倍の深さＰ２まで下方に延びていてもよい。
【０１８２】
このシステムでは、コア３０の含浸は、コアの表面３３と連結手段９、１０の上面との間の距離の少なくとも半分と対応する深さＰ２まで下方に延びていてもよい。
【０１８３】
このシステムでは、含浸は、少なくとも連結手段９、１０の上部分まで下方に延びていてもよい。
【０１８４】
このシステムでは、含浸は、接合平面ＶＰからコア３０内に内方に、フロアパネルの厚さの少なくとも０．１倍の距離Ｐ１に亘って延びていてもよい。
【０１８５】
このシステムでは、含浸は、接合平面ＶＰからコア３０内に内方に、接合平面から見て連結手段９、１０の幅の少なくとも半分と対応する距離Ｐ１に亘って延びていてもよい。
【０１８６】
このシステムでは、含浸は、接合平面ＶＰからコア３０内に内方に、接合平面から見て連結手段９、１０のほぼ全幅と対応する距離Ｐ１に亘って延びていてもよい。
【０１８７】
このシステムでは、コア３０は、少なくともその接合縁部分内が性質改善剤でその下側から含浸されていてもよい。
【０１８８】
このシステムでは、隣接した接合縁部８２、８３は、フロアパネル１、１’を接合平面ＶＰに対して垂直な水平方向ＨＰで互いに接合するための連結手段６、８、１２が設けられていてもよい。
【０１８９】
このシステムでは、コア３０は、少なくとも前記接合縁部分内が、性質改善剤で、その下側から及び連結手段９、１０、６、８、１２に向かって上方に少なくとも所定距離に亘って含浸されていてもよい。
【０１９０】
このシステムでは、含浸は、少なくとも連結手段６−１０、１２、１４、１８の下部分のところまで上方に延びていてもよい。
【０１９１】
このシステムでは、含浸剤は、コア３０の機械的性質を改善する薬剤であってもよい。
【０１９２】
このシステムでは、含浸剤は、コア３０の弾性を改善する薬剤であってもよい。
【０１９３】
このシステムでは、コア３０を前記向き合った接合縁部分間の距離の半分以下に亘って含浸してもよい。
【０１９４】
このシステムでは、コア１３は、連結手段６−１０、１２、１４、１８の少なくとも部分が内部に形成された前記接合縁部分内が含浸されていてもよい。
【０１９５】
このシステムでは、連結手段９、１０、６、８、１２は、これらに対して垂直であり且つフロアパネルの前側に対して垂直な垂直方向接合平面ＶＰのところで、隣接したフロアパネル１、１’’を機械的に接合するように設計されていてもよい。
【０１９６】
このシステムでは、フロアパネル１、１’は四辺形であってもよく、それらの向き合った接合縁部分全てが含浸してあってもよい。
【０１９７】
このシステムでは、隅部３８ａ−ｄの接合縁部分のところのコアの全表面３３が含浸してあってもよい。
【０１９８】
このシステムでは、フロアパネル１、１’は四辺形であってもよく、垂直方向及び水平方向で接合するための機械式接合システム９、１０、６、８、１２が全ての側部に設けられていてもよい。
【０１９９】
このシステムでは、連結手段９、１０、６−８−１２は、フロアパネル１を、前に設置したフロアパネル１’に内方に傾けることによって及び／又は係止位置にスナップ嵌めすることによって接合するように設計されていてもよい。
【０２００】
このシステムでは、連結手段９、１０、６、８、１２は下リップ即ち係止ストリップ６を含んでもよく、これはコアと一体成形されていてもよいし、機械式連結手段に含まれていてもよい。
【０２０１】
このシステムでは、下リップ即ち係止ストリップ６は、弾性改良剤で含浸されている。
【０２０２】
このシステムでは、連結手段９、１０、６、８、１２は、コア３０と異なる材料で形成された一体の係止ストリップ６を含んでもよく、このストリップは、各フロアパネルの向き合った接合縁部分のうちの１つに沿って形成された固定エレメント２１ａ、２１ｂに固定される。
【０２０３】
このシステムでは、ストリップ６を係止するためにコア３０に形成された固定エレメント２１ａ、２１ｂは、性質改善剤で含浸されていてもよい。
【０２０４】
このシステムでは、固定エレメント２１ａ、２１ｂは、強度向上剤で含浸されていてもよい。
【０２０５】
このシステムでは、連結手段９、１０、６、８、１２は、切削によって形成されてもよい。
【０２０６】
このシステムでは、フロアパネル１、１’の向き合った接合縁部分８６、８７は、更に、接合されたときに隣接したフロアパネル間の接合縁部の接合表面に沿って水分が浸透しないようにするための接合シール５５を備えていてもよく、この接合シール５５は接合縁部分８６、８７のところに形成され、弾性シールエレメント５０、５０ａ、５０ｂで形成されており、フロアパネル１、１’のうちの少なくとも一方に固定されており、隣接したフロアパネルを互いに接合したときに圧縮される。
【０２０７】
このシステムでは、接合シール５５は、連結手段９、１０、６、８、１２の部分及び／又は連結手段の上方及び／又は下方のフロアパネル部分で形成されていてもよい。
【０２０８】
このシステムでは、接合シール５５は、フロアパネル内及び／又は異なるフロアパネル間の許容差が、作用部分と接合シール５５の隣接した上接合縁部１６との間のものが、接合シール５５の別の部分と前記隣接した上接合縁部との間のものよりも小さいように設計されていてもよい。
【０２０９】
このシステムでは、接合シール５５は、垂直方向連結手段９、１０の部分及び／又は垂直方向連結手段の上方に位置決めされたフロアパネル部分で形成されていてもよい。
【０２１０】
このシステムでは、接合シール５５は、接合縁部８２、８３のうちの一方の設計と関連して弾性シールエレメント５０、５０ａ、５０ｂを機械加工することによって形成されていてもよい。
【０２１１】
このシステムでは、接合シール５５は、垂直方向連結手段９、１０のうちの一方の設計と関連して弾性シールエレメント５０、５０ａ、５０ｂを機械加工することによって形成されていてもよい。
【０２１２】
このシステムでは、接合シール５６の作用部分５４は、内方への傾け中に係止エレメント８が係止溝１２の作用係止面と接触したときに圧縮を開始するように設計されていてもよい。
【０２１３】
このシステムでは、接合シール５６の作用部分５４は、スナップ嵌め中に係止エレメント８ａが係止溝１２の作用係止面と接触したときに圧縮を開始するように設計されていてもよい。
【０２１４】
このシステムでは、フロアパネルは、作用部分５４を持つ接合シール５６を長側部及び短側部に備えていてもよく、この作用部分５４は連続しており、これらの長側部及び短側部全体並びにこれらの長側部と短側部との間の隅部に亘って延びていてもよい。
【０２１５】
このシステムは、更に、プラスチック製の衝撃−音響遮断層３６をコア３０と装飾−磨耗層３４との間に備えていてもよい。更に、このシステムでは、接合部ＶＰに面する衝撃−音響遮断層３６の自由表面部分は、接合縁部の設計と関連して切削を行うことによって設計でき、隣接したフロアパネル１、１’を互いに接合するときに圧縮される接合シール手段５５ａ、５５ｂとして形成される。
【０２１６】
このシステムでは、接合シール５５、５５ａ、５５ｂには、接合状態においてフロアパネル１、１’の上側に対して傾斜した接触面が形成されていてもよい。
【０２１７】
このシステムは、隣接したフロアパネル１、１’を水平方向で接合するための一つ以上の係止手段８ａ、８ｂ、８ｃを含んでもよい。
【０２１８】
このシステムでは、水平方向で接合するための係止手段８ａ、８ｂ、８ｃは、一つが垂直方向接合平面ＶＰの一方の側に配置されていてもよく、他が垂直方向接合平面ＶＰの他方の側に配置されていてもよい。
【０２１９】
このシステムでは、水平方向で接合するための係止手段８ａ、８ｂ、８ｃは、フロアパネル１、１’の前側に対して異なるレベルに配置されていてもよい。
【０２２０】
更に、上文中に説明したフロアパネルは、ファイバボードコア３０及びこのコアの上側に適用された少なくとも一つの表面層３１を持ち、その両側の少なくとも二つの平行な接合縁部分８６、８７のところにフロアボードを垂直方向Ｄ１で同様のフロアボードに接合するための連結手段９、１０を有する。このフロアボードでは、コア３０は、前記上接合縁部分８０、８１内全体が、その上側３３から、連結手段９、１０に向かって下方に少なくとも所定距離に亘って性質改善剤で含浸してある。
【０２２１】
フロアパネルでは、接合縁部分での性質改善剤の濃度は、コア表面３３のところで、そこから所定距離のところよりも高くてもよい。
【０２２２】
フロアパネルでは、含浸は、フロアパネルの厚さの少なくとも０．１倍の所定深さまで延びていてもよい。
【０２２３】
フロアパネルでは、コア３０の含浸は、コアの表面３３と連結手段９、１０の上部分との間の距離の少なくとも半分と対応する深さＰ２まで下方に延びていてもよい。
【０２２４】
フロアパネルでは、含浸は、少なくとも連結手段９、１０の上部分まで下方に延びていてもよい。
【０２２５】
フロアパネルでは、含浸は、接合平面ＶＰから内方にコア３０内に、フロアパネルの厚さの少なくとも０．１倍の距離に亘って延びていてもよい。
【０２２６】
フロアパネルでは、含浸は、接合平面ＶＰからコア３０内に内方に、接合平面ＶＰから見て連結手段９、１０の幅の少なくとも半分と対応する距離に亘って延びていてもよい。
【０２２７】
フロアパネルでは、含浸は、接合平面ＶＰからコア３０内に内方に、接合平面から見て連結手段９、１０の幅の少なくとも半分と対応する距離Ｐ１に亘って延びていてもよい。
【０２２８】
フロアパネルでは、含浸は、少なくとも連結手段９、１０の上部分まで下方に延びていてもよい。
【０２２９】
フロアパネルでは、コア３０は、少なくとも前記接合縁部分内が、その下側から連結手段６−１０、１２、１４、１８に向かって少なくとも所定距離まで性質改善剤で含浸されていてもよい。
【０２３０】
フロアパネルでは、隣接した接合縁部８２、８３は、更に、フロアパネル１を水平方向ＨＰで別の同様のフロアパネル１’に接合平面ＶＰに対して垂直に接合するための連結手段６、８、１２を備えている。
【０２３１】
フロアパネルでは、含浸は連結手段６−１０、１２、１４、１８の少なくとも下部分まで上方に延びていてもよい。
【０２３２】
フロアパネルでは、含浸剤はコア３０の機械的性質を改善する薬剤であってもよい。
【０２３３】
フロアパネルでは、含浸剤はコア３０の弾性を改善する薬剤であってもよい。
【０２３４】
フロアパネルでは、含浸剤は、水分シール剤及び／又は水分による膨潤が起こらないようにするか或いは大幅に減少する薬剤であってもよく、材料シール手段２０を形成するようになっている。
【０２３５】
フロアパネルでは、コア３０は、前記両接合縁部分間の距離の半分以下に亘って含浸されていてもよい。
【０２３６】
フロアパネルでは、コア３０は、連結手段６−１０、１２、１４、１８の少なくとも部分が内部に形成された前記接合縁部分内が含浸されていてもよい。
【０２３７】
フロアパネルでは、連結手段６−１０、１２、１４、１８は、フロアパネル１を隣接した同様のフロアパネル１’に、垂直方向接合平面ＶＰのところで、これに対して垂直に且つフロアパネルの前側に対して垂直に機械的に接合するように形成されていてもよい。
【０２３８】
フロアパネルは、四辺形であってもよく、その両側の接合縁部分全てが含浸してある。
【０２３９】
フロアパネルでは、連結手段６−１０、１２、１４、１８は、フロアパネル１を、前に設置したフロアパネル１’に、内方に傾けることによって及び／又は係止位置にスナップ嵌めすることによって接合するように形成されていてもよい。
【０２４０】
フロアパネルでは、連結手段６−１０、１２、１４、１８は、下リップ即ち係止ストリップ６を含んでもよく、これはコアと一体成形されていてもよいし、機械式連結手段６−１０、１２、１４、１８に含まれていてもよい。
【０２４１】
フロアパネルでは、下リップ即ち係止ストリップ６は、弾性改良剤で含浸されていてもよい。
【０２４２】
フロアパネルでは、連結手段６−１０、１２、１４、１８は、フロアパネルの両側の平行な接合縁部分のうちの一方に沿って形成された固定エレメント２１ａ、２１ｂに固定された、コア３０と異なる材料でできた一体の係止ストリップ６を含んでもよい。
【０２４３】
フロアパネルでは、コア３０に形成された、係止ストリップ６用の固定エレメント２１ａ、２１ｂは、性質改善剤で含浸されていてもよい。
【０２４４】
フロアパネルでは、固定エレメント２１ａ、２１ｂは、強度向上剤で含浸されていてもよい。
【０２４５】
フロアパネルでは、連結手段６−１０、１２、１４、１８は切削によって形成されていてもよい。
【０２４６】
フロアパネルでは、連結手段６−１０、１２、１４、１８の部分及び／又は接合縁部分の上部分内のコア３０の隣接した部分は、コア３０に固定された弾性シール材料５０、５０ａ、５０ｂで形成されており、弾性シール材料は、連結手段６−１０、１２、１４、１８の設計と関連して機械加工することによって設計され、隣接した接合されたフロアパネル１、１間に水分が浸透しないようにするための接合シール手段５５、５５ａ、５５ｂを形成するようになっている。
【０２４７】
フロアパネルでは、接合シール５５は、連結手段９、１０、６、８、１２の部分及び／又は連結手段の上方及び／又は下方に位置決めされたフロアパネル部分で形成されていてもよい。
【０２４８】
フロアパネルでは、接合シール５５は、フロアパネル内及び／又は異なるフロアパネル間の許容差が、接合シール５５の作用部分と隣接した上接合縁部１６との間で、接合シール５５の別の部分と前記隣接した上接合縁部との間よりも小さいように設計されていてもよい。
【０２４９】
フロアパネルでは、接合シール５５は、垂直方向連結手段９、１０の部分及び／又は垂直方向連結手段の上方に位置決めされたフロアパネル部分で形成されていてもよい。
【０２５０】
フロアパネルでは、接合シール５５は、接合縁部８２、８３のうちの一方の設計と関連して弾性シールエレメント５０、５０ａ、５０ｂを機械加工することによって形成されていてもよい。
【０２５１】
フロアパネルでは、接合シール５５は、垂直方向連結手段９、１０のうちの一方の設計と関連して弾性シールエレメント５０、５０ａ、５０ｂを機械加工することによって形成されていてもよい。
【０２５２】
フロアパネルでは、接合シール５６の作用部分５４は、フロアパネルを同様のフロアパネルに接合する場合、内方への傾け中に係止エレメント８が係止溝１２の作用係止面と接触したとき、圧縮を開始するように設計されていてもよい。
【０２５３】
フロアパネルでは、接合シール５６の作用部分５４は、フロアパネルを同様のフロアパネルに接合する場合、スナップ嵌め中に係止エレメント８ａが係止溝１２の作用係止面と接触したときに圧縮を開始するように設計されていてもよい。
【０２５４】
フロアパネルでは、作用部分５４を持つ接合シール１５６をこの作用部分５４の長側部及び短側部に備えていてもよく、この作用部分５４は連続しており、これらの長側部及び短側部全体並びにこれらの長側部と短側部との間の隅部に亘って延びていてもよい。
【０２５５】
フロアパネルは、更に、プラスチック製の衝撃−音響遮断層３６をコア３０と装飾−磨耗層３４との間に備えていてもよい。このフロアパネルでは、接合部ＶＰに面する衝撃−音響遮断層３６の自由表面部分は、連結手段６−１０、１２、１４、１８の設計と関連して切削することによって設計でき、隣接したフロアパネル１、１’を互いに接合するときに圧縮される接合シール手段５５ａ、５５ｂとして形成される。
【０２５６】
更に、フロアボード２又は分割してフロアボード２にされるボードエレメント３を製造するようになった、フロアボードコア３０を形成するための方法を説明する。フロアボード２は両接合縁部分８６、８７を有する。この方法は、前記ファイバボードコア３０を少なくとも一つの性質改善剤で、フロアボード２の接合縁部分８６、８７を形成する所定の帯状領域４４内を含浸することを特徴とする。
【０２５７】
この方法では、木材を基材としたパネルの含浸をその前側から行ってもよい。
【０２５８】
この方法では、含浸は、接合縁部分での性質改善剤の濃度が、コアのコア表面３３のところで、コア表面から所定距離のところよりも高いように行うことができる。
【０２５９】
この方法では、木材を基材としたパネルの含浸を、その後側から行ってもよい。
【０２６０】
この方法では、パネルの厚さＴの少なくとも０．１倍と対応する深さまで含浸を行ってもよい。
【０２６１】
この方法では、含浸は、フロアパネルの連結手段９、１０となる部分の深さまで含浸されるように行ってもよい。
【０２６２】
この方法では、含浸は、帯状領域４４に液体含浸剤を適用することによって行うことができる。
【０２６３】
この方法では、含浸は、コア３０の機械的特性を改善する薬剤で行うことができる。
【０２６４】
この方法では、含浸は、コア３０の弾性を改善する薬剤で行うことができる。
【０２６５】
この方法では、含浸は、水分シール剤で行うことができる。
【０２６６】
この方法では、含浸は、膨潤減少剤で行うことができる。
【０２６７】
この方法では、コア３０は、前記両接合縁部分間の距離の半分以下に亘って含浸できる。
【０２６８】
この方法では、溝４１をパネルの帯状領域４４内にフロアボードの連結手段６−１０、１２、１４、１８と同じ深さまで形成でき、弾性シール材料を前記溝に挿入できる。
【０２６９】
この方法では、弾性シール材料を前記溝４１に流し込んでもよい。
【０２７０】
更に、フロアボード２、又は分割してフロアボードにする、両接合縁部分８６、８７を持つフロアボードエレメント３の製造方法を説明する。この方法では、ファイバボードコア３０の前側が表面層３１でコーティングされ、好ましくはその後側のバランス層３２にもコーティングが施してある。これは、表面層３１及び場合によってはバランス層３２のコーティング前に、フロアボードの接合縁部分８６、８７を構成するファイバボードコア３０の所定の帯状領域４４を少なくとも一つの性質改善剤で含浸することを特徴とする。
【０２７１】
この方法では、木材を基材としたパネル３０の含浸をその上側から行ってもよい。
【０２７２】
この方法では、木材を基材としたパネル３０の含浸をその下側から行ってもよい。
【０２７３】
この方法では、少なくともフロアボードの連結手段９、１０、６−８−１２の部分が含浸される深さまで含浸を行ってもよい。
【０２７４】
この方法では、帯状領域４４に亘って液体含浸剤を適用することによって含浸を行ってもよい。
【０２７５】
この方法では、コア３０の機械的性質を改善する薬剤によって含浸を行ってもよい。
【０２７６】
この方法では、コア３０の弾性を改善する薬剤によって含浸を行ってもよい。
【０２７７】
この方法では、水分シール剤及び／又は水分による膨張をなくすか或いは大幅に減少する薬剤によって含浸を行ってもよい。
【０２７８】
この方法では、コア３０は、前記両接合縁部分間の距離の半分以下に亘って含浸されていてもよい。
【０２７９】
この方法では、パネル３０の帯状領域４４内に溝４１をフロアボードの連結手段９、１０のレベルの深さまで形成してもよく、弾性シール材料５０、５０ａ、５０ｂを前記溝に挿入できる。
【０２８０】
フロアパネル１を製造するための半製品であり、フロアボードコア３０及びこのコアの上側３３に適用された表面層３１を有し、切削によりフロアパネルの連結手段９、１０を形成するようになった少なくとも二つの平行な両接合縁部分８６、８７を持つフロアボードもまた記載されている。このフロアボードは、少なくとも前記接合縁部分８６、８７内のコア３０が性質改善剤でその上側３３から下方に少なくとも連結手段９、１０に向かって所定距離に亘って含浸されていることを特徴とする。
【０２８１】
フロアボードでは、接合縁部分での水分シール剤の濃度は、コア表面３３のところで、そこから所定距離のところでの濃度よりも高い。
【０２８２】
フロアボードでは、含浸は、フロアボードの厚さの少なくとも０．１倍の所定深さまで延びていてもよい。
【０２８３】
フロアボードでは、コア３０の含浸は、コアの表面３３と連結手段９、１０の上面との間の距離の少なくとも半分と対応する深さＰ２まで延びていてもよい。
【０２８４】
フロアボードでは、含浸は、連結手段６−１０、１２、１４、１８の少なくとも上部分まで下方に延びていてもよい。
【０２８５】
フロアボードでは、少なくとも前記接合縁部分内のコア３０が、その下側から及び少なくとも連結手段６−１０、１２、１４、１８に向かって所定距離上方まで、性質改善剤で含浸されていてもよい。
【０２８６】
フロアボードでは、含浸は、少なくとも連結手段６−１０、１２、１４、１８の下部分まで上方に延びていてもよい。
【０２８７】
フロアボードでは、含浸剤は、コア３０の機械的特性を改良する薬剤であってもよい。
【０２８８】
フロアボードでは、含浸剤は、コア３０の弾性を改良する薬剤であってもよい。
【０２８９】
フロアボードでは、含浸剤は、水分シール剤及び／又は水分による膨潤が起こらないようにするか或いは大幅に減少する薬剤であってもよい。
【０２９０】
フロアボードでは、コア３０は、前記両接合縁部分間の距離の半分以下に亘って含浸されていてもよい。
【０２９１】
フロアボードでは、コア３０は、フロアパネルの連結手段６−１０、１２、１４、１８の少なくとも部分が内部に形成されるべき前記接合縁部分内が含浸されていてもよい。
【０２９２】
フロアボードでは、四辺形であってもよく、その両側の接合縁部分全てが含浸してある。
【０２９３】
フロアボードでは、フロアボードの上側の接合縁部分が、水分シール剤及び／又は水分による膨潤が起こらないようにするか或いは大幅に減少する薬剤で含浸してあってもよい。
【０２９４】
フロアボードでは、フロアボードの下側の接合縁部分が強度向上剤で含浸されていてもよい。
【０２９５】
フロアボードでは、フロアボードの下側の接合縁部分が弾性向上剤で含浸されていてもよい。
【０２９６】
フロアボードは、弾性変形可能なシール材料５４を含んでもよく、このシール材料は、フロアボードに機械加工を施してフロアパネルにするときにフロアパネルの連結手段６−１０、１２、１４、１８の部分及び／又は接合縁部分の上部分内のフロアパネルのコア３０の隣接部分を形成するようなコアの位置に固定される。
【０２９７】
フロアボードでは、弾性接合シール材料５６は、コア３０に、フロアパネルの長側部及び短側部を形成するようになった領域内で固定されているのがよい。これらの領域は、全長側部及び短側部に沿って並びに前記長側部と短側部との間の隅部で連続している。
【０２９８】
フロアボードは、プラスチック製の衝撃−音響遮断層３６をコア３０と装飾−磨耗層３４との間に備えていてもよい。
【０２９９】
この実施例によれば、ファイバボードコア及びこのコアの上側に適用された少なくとも一つの層を含む表面層を持ち、フロアパネルを垂直方向で互いに接合するための連結手段を持ち且つ垂直方向接合平面で出会う隣接した接合縁部分と隣接したフロアパネルの二つの隣接した縁部間に接合部を形成するためのシステムが提供される。本発明のこの特徴によれば、フロアパネルの隣接した接合縁部分は、接合平面からフロアパネルのコア内への水分の浸透が起こらないようにするための材料シールを有する。この材料シールは、前記接合縁部分内の、水分シール剤及び／又は水分による膨潤が起こらないようにするか或いは大幅に減少する薬剤による、コアの上側から少なくとも連結手段に向かって下方に所定距離に亘る、コアの含浸を含む。
【０３００】
この含浸は、コアの上側から見て、フロアパネルの厚さの少なくとも０．１倍の所定深さまで延びていてもよい。更に詳細には、含浸は、フロアパネルの連結手段の少なくとも上部分まで下方に延びる。接合平面から見たコア内に内方への含浸の深さは、好ましくは、フロアパネルの厚さの少なくとも０．１倍である。更に好ましくは、含浸は、接合平面から見て、連結手段の幅の少なくとも半分と対応する距離に亘って延びる。
【０３０１】
コアをその下側から上方に連結手段に向かって所定距離に亘って含浸するのも好ましい。コアの下側の含浸は、性質改善剤、特にコアの機械的性質を改善する薬剤を使用して行うことができる。
【０３０２】
幾つかの連結システムでは、機械式連結手段用の開始材料としての機能をコアが良好に満たすように、コアの強度及び弾性を改善する選択を行うことができる。
【０３０３】
この実施例では、コアの必要な性質は、影響に最も曝されるフロアパネルの部分、即ち縁部内で得られる。これにより大きな経済的利点が生じる。これは、コアの含浸が、侵入する水分の影響に対する抵抗に関して所望の性質を持つフロアが得られるように改善を行う必要がある部分に正確に限定されるためである。従って、コアの含浸は、好ましくは、コアの両縁部間の距離の半分以下に行われる。最も有利には、含浸は、内側に連結手段の少なくとも部分が形成される縁部の部分に限定される。
【０３０４】
上述のように、この実施例は、隣接したフロアパネルの機械的接合に基づくシステム、即ち機械式係止手段がフロアパネルを所定の垂直方向接合平面のところでこれに対して垂直方向に且つフロアパネルの前側に対して垂直方向に接合するシステムと関連して特に有用である。連結手段は、特に有利には、フロアパネルを、内方に傾けること及び／又は係止位置にスナップ嵌めすることによって、以前に設置したフロアパネルと接合するように設計できる。
【０３０５】
機械式係止手段を持つフロアパネルについて実施例を使用する場合、連結手段は、コアと一体成形された下リップ又は係止ストリップを含む。このような場合、上述のように、コアの下部分を性質改善剤、特に弾性向上剤で含浸するのが特に有利である。その結果、この下リップ又は係止ストリップは、その所期の機能について随意の性質を獲得する。しかしながら、このような係止ストリップを別の材料、例えばアルミニウムで形成できるということ、及びこの場合に別の係止ストリップ用のアタッチメントを形成するコアの部分を、取り付けられた係止ストリップを保持するコアの性能を更に高めるために、有利にはこのような性質改善剤で含浸できるということは本発明の範疇に含まれる。
【０３０６】
本発明によれば、材料シールを提供する問題点は、かくして、後に接合システムが形成される接合システムの領域でコア（及びかくして完成した接合縁部ではない）を含浸することによって解決される。前側に最も近いコアの上部分の、接合縁部が後に形成される領域が含浸されるように、含浸剤を浸透させることができる。次いで、コアの前側を表面層でコーティングし、その後側をバランス層でコーティングする。ボードエレメント又はフロアボードは、かくして、コアが表面層の下で含浸された部分を含む。適切である場合にはボードエレメントを鋸断し、コアが表面層の下で含浸された縁部を持つフロアボードにする。次いで、フロアボードの縁部を機械加工し、完成したフロアパネルの上接合縁部分を含浸する。
【０３０７】
機械加工した接合システムの接合縁部から含浸を行うことを必要としない方法を使用して、含浸剤を、コアの表面及び／又は表面層の下のコアの部分内に適用できる。
【０３０８】
この製造方法に従って形成された接合システムの主な利点は、実際上許容差を必要とせずに含浸剤を適用できるということである。別の利点は、含浸が比較的低速で行われるけれども、ボードエレメントの製造における生産ラインの能力が高いということである。これは、含浸が、後に複数のフロアボードに分割される大きなボードエレメントの製造と関連して行われ、個々のフロアボードの縁部の機械加工と関連して行われるのではないためである。更に、比較的長時間に亘って含浸材料をコアに浸透させることができる。
【０３０９】
別の利点は、本方法により、含浸材料を、表面層の下に、完成した接合縁部、即ち上接合縁部分と隣接した領域に直接適用できるということ、及び接合縁部からフロアパネルに向かって水平方向に、フロアパネルの接合縁部を機械加工して連結手段を形成した後にこのフロアパネルの接合縁部から含浸することによって得られるのと比較してかなり大きく適用できるということである。別の利点は、全ての隅部の接合縁部分が含浸されているということである。含浸後に接合部が形成されるため、含浸と関連した膨潤が接合部分の形状に影響を及ぼすことがなく、含浸残滓が接合面又は接合縁部に最も近い表面層に残らない。
【０３１０】
一つの更に大きな利点は、コア、接合縁部が形成されるボードエレメント又はフロアボードの部分、及びこの接合縁部から所定距離のところのパネルの別の含浸されていない部分、例えばフロアパネルの中央部分に最も近い部分の膨潤を計測することによって含浸の結果を検査できるということである。
【０３１１】
フロアパネルを最終的に機械加工する前に含浸の結果を確かめることができ、これにより高い性能が得られ、不良品が少なくなることにより大幅な費用節減がなされる。
【０３１２】
この材料シール提供方法は、均質な木材、複数のベニヤ層を含む合板、木材ブロックを互いに接着した材料、ＨＤＦ型及びＭＤＦ型のファイバボード、パーティクルボード、フレークボード（ＯＳＢ）等のファイバボードを基材とした全てのコア材料について適している。この方法は、他のコア材料、例えば木材ファイバを含む材料及び水分に露呈されたときに膨潤しない材料でも使用できるが、とりわけ、縁部の強化を図るために特定の部分を含浸するために使用できる。
【０３１３】
原理的には、木材又はファイバボードを基材とした材料を水分に対して保護するのに役立つ市販の全ての含浸材料を使用できる。しかしながら、含浸材料は、好ましくは液体形態で適用できなければならず、付着性の改善の観点で、接着、直接積層、ワニス塗布、プラスチックフィルム等のカレンダー加工即ちコーティングといった従来技術の適用方法を使用して表面層をコアに適用できるような性質を備えていなければならない。使用可能な含浸材料の非限定的例には、ポリウレタン、フェノール、及びメラミンが含まれる。含浸液体は、例えばスプレー等の様々な方法で適用できる。完成したフロアパネルの機械加工を施した接合縁部について今日使用されているシステムで使用するのが非常に困難な、ロール掛け、スプレッディング、噴射等の困難な他の方法は、本発明と関連して優れた方法で機能する。熱、真空、圧力、等を加えることによって、コアへの含浸剤の浸透を促すことができる。随意であるが、含浸剤の適用前に例えばコアの表面の研削と組み合わせることができる。更に、含浸させたコアの研削を表面層の適用前に行うことができ、かくして表面層の適用前に任意の膨潤表面部分を除去する。接合縁部から含浸が行われる場合には、真空及び表面部分の研削を使用できず、上文中に説明した方法の幾つかは、接合縁部から含浸を行う場合には使用がかなり困難である。
【０３１４】
後にフロアパネルの接合部分を構成する領域でコアに溝を形成することもできる。この場合、含浸剤は、コアの表面及び溝の縁部の両方から適用できる。性質が異なる様々な層を適用することもできる。イソシアネートを含むポリウレタン（ＰＵＲ）等の環境に優しくない物質を含浸剤が含む場合には、ロール掛け又はスプレッディングは特に有利である。含浸剤をロール掛けする場合には、スプレーによって適用を行う場合の最大１０倍又はそれ以上のイソシアネートを、有効限度内で使用できる。
【０３１５】
含浸方法は、縁部の強化にも使用できる。上文中に説明したような様々な化学物質を液体の形態で供給でき、これは、硬化後即ち凝固後、木材繊維を強化し、接合縁部の耐圧縮性、耐剪断性、又は衝撃強度、又は弾性が高い接合縁部を提供する。好ましい方法は、例えば硬化に熱及び圧力の両方を必要とするメラミンやフェノール等の熱硬化性プラスチックを使用し、防水性であるが強固な接合縁部を提供する上で特に適している。表面層の直接積層は実際には、高温高圧で行われ、この作業と関連して含浸層を硬化することもできる。表面層の熱接着によっても硬化及び乾燥を行うことができる。この方法は、水分乾燥と組み合わせて使用できる。
【０３１６】
例えば二段階含浸によって様々な層を製造できる。二段階含浸では、第１含浸工程は、コアの表面の下に深く浸透する、水分に対する保護を高める薬剤を用いて行われ、第２含浸工程は、例えば粘度又は他の硬化特性が異なる薬剤を用いて行われ、これにより表面層の真下に強固な接合縁部が形成される。このようにして、例えば強化接合縁部分を持つ直接積層フロアパネルを製造できる。こうしたフロアパネルの特性は、高圧積層体でできた表面層を持つかなり高価な積層フロアと等価であるか或いはそれよりも優れている。
【０３１７】
以上の実施例は、表面層の適用前に、フロアパネルの接合縁部分を構成するコアの部分に様々な材料を加えることによってコアの性質を変化させるために使用されるようになっている。
フロアパネルにおいて、前記下リップ即ち係止ストリップ（６）は弾性向上剤が含浸してある、ことを特徴とする。
フロアパネルにおいて、前記連結手段（６、８、１２）は、前記コア（３０）の材料とは異なる材料ででき、かつ前記フロアパネルの平行な両接合縁部分のうちの一方に沿って形成された固定エレメント（２１ａ、２１ｂ）に固定された一体の係止ストリップ（６）を含む、ことを特徴とする。
フロアパネルにおいて、前記コア（３０）に形成された、前記係止ストリップ（６）用の前記固定エレメント（２１ａ、２１ｂ）は性質改善剤で含浸してある、ことを特徴とする。
フロアパネルにおいて、前記固定エレメント（２１ａ、２１ｂ）は強度向上剤で含浸してある、ことを特徴とする。
フロアパネルにおいて、前記連結手段（６−１０、１２、１４、１８）は切削によって形成される、ことを特徴とする。
フロアパネルにおいて、長側部及び短側部に沿って機械式係止システムを有する、ことを特徴とする。
フロアパネルにおいて、前記フロアパネルの前記長側部に沿った前記機械式係止手段は弾性変形可能な係止面を有する、ことを特徴とする。
システムにおいて、前記連結手段の形成と同時に機械加工することによる前記接合シール（５５）の形成は、フロアパネル内及び／又は異なるフロアパネル間の許容差が、前記作用部分（５４）と前記接合シールの隣接した上接合縁部（１６）との間のものが、前記接合シール（５５）の別の部分と前記隣接した上接合縁部との間のものよりも小さいように行われる、ことを特徴とする。
システムにおいて、前記接合シール（５５）は、垂直方向連結手段（９、１０）の部分及び／又は前記垂直方向連結手段の上方に配置された前記フロアパネルの部分からなる、ことを特徴とする。
システムにおいて、前記接合シール（５５）の前記作用部分（５４）は、前記上接合縁部分（８０、８１）のうちの一方と隣接しており、前記作用部分（５４）は、前記垂直方向連結手段（９、１０）よりも前記表面層（３１）に近い、ことを特徴とする。
システムにおいて、前記接合シール（５５）の前記作用部分（５４）は、前記表面層（３１）の装飾層（３５）から所定距離のところで形成され、前記接合シールの前記作用部分と前記装飾層との間の接合縁部分は、水分が前記接合縁部（８２、８３）から前記コア（３０）内に侵入しないようにする材料シール（２０）を有する、ことを特徴とする。
システムにおいて、前記材料シール（２０）はポリマー材料である、ことを特徴とする。
システムにおいて、前記材料シールは、フェノールを含浸した紙でできた強化層（３６）である、ことを特徴とする。
システムにおいて、前記コア（３０）は、ファイバボード材料製のコアである、ことを特徴とする。
システムにおいて、前記連結手段（９、１０、６、８、１２、１４、１８）は、隣接したフロアパネル（１、１’）を、垂直方向接合平面（ＶＰ）のところでこの平面に対して垂直方向に且つ前記フロアパネルの前側に対して垂直方向に機械的に接合するために形成されている、ことを特徴とする。
システムにおいて、前記フロアパネル（１、１’）は四辺形であり、各フロアパネルは、少なくとも一つの長側部及び少なくとも一つの短側部に沿って接合シール手段（５５、５５ａ、５５ｂ）を有し、これらのフロアパネルは、その接合時に、それらの両接合縁部分全てに沿って前記接合シール手段（５５、５５ａ、５５ｂ）によって取り囲まれる、ことを特徴とする。
システムにおいて、前記連結手段（６−１０、１２、１４、１８）は、フロアパネル（１）を内方に傾けることによって及び／又は係止位置にスナップ嵌めすることによって、以前に設置したフロアパネル（１’）に接合する、ことを特徴とする。
システムにおいて、前記連結手段（６−１０、１２、１４、１８）は、前記コア（３０）と一体成形されており且つ前記機械式連結手段に含まれる下リップ即ち係止ストリップ（６）を有する、ことを特徴とする。
システムにおいて、前記連結手段（６−１０、１２、１４、１８）は、前記コア（３０）の材料と異なる材料でできた一体の係止ストリップ（６）を含み、この係止ストリップは、各フロアパネルの平行な両接合縁部分の一方に沿って形成された固定エレメント（２１ａ、２１ｂ）に固定される、ことを特徴とする。
システムにおいて、前記連結手段（６−１０、１２、１４、１８）は、切削によって形成される、ことを特徴とする。
システムにおいて、フロアパネルは前記コア（３０）と前記装飾−磨耗層（３４）との間にプラスチック製衝撃−音響遮断層（３６）を有する、ことを特徴とする。
システムにおいて、前記接合平面（ＶＰ）に面する前記衝撃−音響遮断層（３６）の自由表面部分は、前記連結手段（６−１０、１２、１４、１８）と関連して切削によって形成され、隣接したフロアパネル（１、１’）を互いに接合するときに圧縮される接合シール手段（５５、５５ａ、５５ｂ）として形成される、ことを特徴とする。
システムにおいて、前記接合シール手段（５５、５５ａ、５５ｂ）には、接合状態で前記フロアパネルの上側に対して傾斜した接触面が形成されている、ことを特徴とする。
フロアパネルにおいて、前記連結手段（６−１０、１２、１４、１８）は、フロアパネル（１）を内方に傾けることによって及び／又は係止位置にスナップ嵌めすることによって、以前に設置したフロアパネル（１’）に接合する、ことを特徴とする。
フロアパネルにおいて、前記連結手段（６−１０、１２、１４、１８）は、前記コア（３０）と一体成形されており且つ前記機械式連結手段（６−１０、１２、１４、１８）に含まれる下リップ即ち係止ストリップ（６）を含む、ことを特徴とする。
フロアパネルにおいて、前記連結手段（６−１０、１２、１４、１８）は、コア（３０）の材料以外の材料で形成されており且つ各フロアパネルの平行な両接合縁部分のうちの一方に沿って形成された固定エレメント（２１ａ、２１ｂ）に固定された一体の係止ストリップ（６）を含む、ことを特徴とする。
フロアパネルにおいて、フロアパネルは前記コア（３０）と前記装飾−磨耗層（３４）との間にプラスチック製衝撃−音響遮断層（３６）を有する、ことを特徴とする。
フロアパネルにおいて、接合部に面する前記衝撃−音響遮断層（３６）の自由表面部分は、前記連結手段（６−１０、１２、１４、１８）と関連して切削によって設計され、隣接したフロアパネルを互いに接合するときに圧縮される接合シール手段（５５ａ、５５ｂ）として形成される、ことを特徴とする。
フロアパネルにおいて、前記接合シール手段（５５、５５ａ、５５ｂ）には、接合状態で前記フロアパネルの上側に対して傾斜した接触面が形成されている、ことを特徴とする。
方法において、前記溝（４１）は前記シート状材料の表面（３３）の帯状領域に形成される、ことを特徴とする。
方法において、前記帯状領域は、この領域から前記係止システムが形成される領域である、ことを特徴とする。
方法において、前記溝は前記シート状材料の縁部分に形成される、ことを特徴とする。
方法において、前記弾性シール材料（５０、５０ａ、５０ｂ）は、前記コア（３０）に固定するため、前記溝に流し込まれ又は押出される、ことを特徴とする。
方法において、弾性シール材料（５０、５０ａ、５０ｂ）は、アクリルプラスチック、合成ゴム製のエラストマー、ウレタンゴム、シリコーンゴム等を基材とした材料、又はポリウレタンを基材としたホットメルト接着剤で形成されている、ことを特徴とする。
フロアパネルの製造で使用するための方法において、前記弾性シール材料（５０、５０ａ、５０ｂ）は、前記係止システム（６、８、９、１０、１２）と関連して接合シール（５５、５５ａ、５５ｂ）に形成される、ことを特徴とする。
方法において、前記弾性シール材料（５０、５０ａ、５０ｂ）は、前記係止システム（６、８、９、１０、１２）の形成と同時に接合シール（５５、５５ａ、５５ｂ）に形成される、ことを特徴とする。
フロアパネルにおいて、前記垂直方向連結手段（９、１０）は、タング溝（９）及びタング（１０）を含み、前記接合シールは、前記装飾層と前記表面層（３１）に最も近いタング溝の上部分との間に形成された作用部分（５４）を有する、ことを特徴とする。
フロアパネルにおいて、前記フロアパネル（１、１’）の前記接合縁部分（８６、８７）は、水分が接合縁部分（８２、８３）から前記フロアパネルの前記コア（３０）に浸透しないようにするための材料シール（２０）を有し、前記材料シール（２０）は、水分シール剤及び／又は水分による膨潤が起こらないようにするか或いは大幅に減少する薬剤からなり前記接合縁部分内に設けられた含浸部を有し、この含浸部はコア（３０）の上側（３３）から前記連結手段（９、１０）に向かって下方に少なくとも所定距離に亘る、ことを特徴とする。
フロアパネルにおいて、前記コア（３０）は、少なくとも前記接合縁部分内に性質改善剤で、その下側から前記連結手段（９、１０、６、８、１２）に向かって上方に少なくとも所定距離に亘って延びる含浸部を有する、ことを特徴とする。
フロアエレメントにおいて、前記弾性変形可能な材料（５０、５０ａ、５０ｂ、５１）は、前記機械式係止システム（６、８、９、１０、１２）と関連して成形されるようになっている、ことを特徴とする。
フロアエレメントにおいて、溝を画成する表面を性質改善剤で含浸した、ことを特徴とする。
木材繊維を基材としたコア（３０）及びこのコアの表面（３３）に取り付けられた表面層（３１、３２）を含む、フロアパネル（２）の形成で使用するためのフロアボード（２）において、機械式係止システム（６、８、９、１０、１２）が形成されるべきフロアボードの上縁部分（８０、８１）に溝（４１ａ、４１ｂ）が設けられ、前記溝（４１）には弾性変形可能な材料（５０、５０ａ、５０ｂ、５１）及び／又は含浸剤が設けられている、ことを特徴とする。
【図面の簡単な説明】
【０３１８】
【図１】ａ乃至ｄは、フロアパネルの様々な製造工程を示す図である。
【図２】ａ乃至ｅは、高圧積層体でできた表面及び直接積層体を含む積層フロアの構成を示す図である。
【図３】ａ乃至ｃは、様々な機械式接合システム及び水分の移動の例を示す図である。
【図４】ａ乃至ｄは、従来技術による縁部の含浸を示す図である。
【図５】ａ乃至ｃは、材料シールを形成するための本発明による含浸の図である。
【図６】ａ乃至ｃは、本発明による上接合縁部の含浸を示す図である。
【図７】ａ乃至ｄは、本発明による材料シールの一実施例を示す図である。
【図８】ａ乃至ｅは、本発明による機械式接合システムの接合シールの形成を示す図である。
【図９】ａ乃至ｄは、材料シール及び接合シール並びに本発明による接合システムの部分の縁部強化体を持つ機械式接合システムの製造を示す図である。
【図１０】ａ乃至ｃは、本発明による接合シールの圧縮を示す図である。
【図１１】ａ乃至ｇは、本発明による材料及び接合シールの変形例の図である。
【図１２】ａ乃至ｂは、本発明による材料及び接合シールの変形例の図である。
【図１３】ａ乃至ｃは、本発明に従って二つの側部に接合シールが設けられたフロアパネルの図である。
【図１４】ａ乃至ｅは、機械式係止システムを示し、ａは従来技術を示し、ｂ乃至ｅは本発明による弾性係止手段の形態の補償備えた係止システムを示す図である。
【図１５】ａ乃至ｅは、本発明の一実施例の図である。
【図１６】ａ乃至ｆは、本発明に従って形成された、高い強度を持つ接合システムの図である。
【図１７】ａ乃至ｄは、隣接したフロアパネルの隅部のシールを示す図である。
【符号の説明】
【０３１９】
１、１’  フロアパネル
２  フロアボード
３  フロアエレメント
４ａ、４ｂ  長側部
６  ストリップ
７、７’  接合システム
８  係止エレメント
９  タング溝
１０  タング
１２  係止溝
１６  上接合縁部
２０  材料シール
２４  含浸材料
３０  コア
３１  表面層
３２  バランス層
３３  コア表面
３４  磨耗層
３５  紙製装飾層
３６ａ、３６ｂ  強化層